(57)【要約】【課題】  マットや布団上など凹凸のある場所での物品と他の物品の両物品間直線上で両物品の移動を容易に行う方法が求められていた。【解決手段】  物品と他の物品を設置する地点を個別に設け、各地点にベルトとベルト通しを接続して、両地点をベルトとベルト通しで結び、それぞれのベルト先端部を外側に引張る事で物品と他の物品は近づき、それぞれの地点を外側に引張る事で物品と他の物品は遠ざかる地点間移動装置とした。【選択図】図９
2020192296.tif 000002
【特許請求の範囲】
【請求項１】
１個の通過口を持ったベルト通しとベルトを、それぞれを複数作成し、ベルト通しの一端の通過口入口の上部に、ベルトの一端を接続して、該ベルトの他端をベルト先端部とした第１０１結合部材とし、他ベルト通しの一端の通過口入口の下部に、他ベルトの一端を接続して、該ベルトの他端をベルト先端部とした第１０２結合部材とし、第１０１結合部材のベルト先端部を、第１０２結合部材のベルト通しの通過口入口に差込み通過口出口に貫通され、第１０２結合部材のベルト先端部を、第１０１結合部材のベルト通しの通過口入口に差込み通過口出口に貫通されたことを特徴とする地点間移動装置。
【請求項２】
請求項１、の記載内容において、第１０１結合部材のベルト通しの一端の通過口出口の上部に地点取手を接続し、ベルト先端部に先端取手を接続して第２０１結合部材とし、第１０２結合部材のベルト通しの一端の通過口出口の上部に他の地点取手を接続し、ベルト先端部に他の先端取手を接続して第２０２結合部材とし、第２０１結合部材の先端取手を、第２０２結合部材のベルト通しの通過口入口に差込み通過口出口に貫通され、第２０２結合部材の先端取手を、第２０１結合部材のベルト通しの通過口入口に差込み通過口出口に貫通された、取手を付けた事を特徴とする取手付き地点間移動装置。
【請求項３】
請求項１及び請求項２記載内容に於いて、ベルト通しの通過口を上通過口と下通過口と２口設けて２穴ベルト通しとして複数作成し、２穴ベルト通しの一端の上通過口出口の上部に地点取手を接続し、該２穴ベルト通しの他端の上通過口入口と下通過口入口との中間部にベルトの一端を接続し、該ベルトの他端に先端取手を接続して、第３０１結合部材とし、他の２穴ベルト通しの一端の上通過口出口上部に他の地点取手を接続し、該２穴ベルト通しの他端の上通過口入口と下通過口入口との中間部に、他のベルトの一端を接続し、該ベルトの他端に他の先端取手を接続して、第３０２結合部材とし、第３０１結合部材の先端取手を、第３０２結合部材の２穴ベルト通しの上通過口入口に差込み上通過口出口に貫通され、第３０２結合部材の先端取手を、第３０１結合部材の２穴ベルト通しの下通過口入口に差込み下通過口出口に貫通された、２穴ベルト通しを使用した事を特徴とする２穴ベルト通し付き地点間移動装置。
【請求項４】
請求項１、請求項２、及び請求項３記載内容に於いて、製作部材として布を使用した事を特徴とした布製地点間移動装置。
【請求項５】
請求項２、及び  請求項４記載内容に於いて、ベルト通しの製材を布製帯として、帯は同一寸法で、上帯と下帯を各複数作成し、上帯の長手方向の中間部分の幅方向の一端に地点取手を接続し、該上帯の長手方向の中間部分の幅方向の他端にベルトの一端を接続し、該ベルトの他端に先端取手を接続し、該上帯と該下帯を重ね合せ長手方向の中間部分に他のベルトが通る為の通過口入口と通過口出口用寸法を確保し、該中間部分以外の他の部分に縫合部Ａと縫合部Ｂ用の寸法を確保し、縫合部Ａと縫合部Ｂのそれぞれをミシン縫い等で縫い合せて第５０１結合部材とし、他の上帯の長手方向中間部分の幅方向の一端に他の地点取手を接続し、他の下帯の長手方向中間部分の幅方向の一端に他のベルトの一端を接続し、該ベルトの他端に他の先端取手を接続し、該上帯と該下帯の該先端取手と該地点取手が反対方向に位置するように重ね合せて長手方向の中間部分に、他のベルトが通る為の通過口入口と通過口出口用の寸法を確保し、該中間部分以外の他の部分に縫合部Ａと縫合部Ｂ用の寸法を確保し、縫合部Ａと縫合部Ｂのそれぞれをミシン縫い等で縫い合せて第５０２結合部材とし、第５０１結合部材の先端取手を、第５０２結合部材のベルト通しの通過口入口に差込み通過口出口に貫通され、第５０２結合部材の先端取手を、第５０１結合部材のベルト通しの通過口入口に差込み通過口出口に貫通された、ベルト通し製材を布帯とした事を特徴とする布帯製ベルト通し付き地点間移動装置。
【請求項６】
請求項１、請求項２、及び  請求項３、記載内容に於いて、２穴ベルト通しの製材を布製帯とし、帯は上帯、中帯、下帯を同じ寸法で各複数作成し、上帯の長手方向の中間部分の幅方向の一端に地点取手を接続し、中帯の長手方向の中間部分の幅方向の一端に、ベルトの一端を接続し、該ベルトの他端に先端取手を接続し、該上帯と該中帯と該下帯を、該先端取手と該地点取手が反対方向に位置するように重ね合せて、長手方向の中間部分に、他のベルトが通る為の上通過口入口、上通過口出口用の寸法を確保し、該中間部分の他の部分に縫合部Ａと縫合部Ｂ用の寸法を確保し、縫合部Ａと縫合部Ｂのそれぞれをミシン縫い等で縫い合せて第６０１結合部材とし、第６０１結合部材と同様を作成して、他を第６０２結合部材とし、第６０１結合部材の先端取手を、第６０２結合部材の２穴ベルト通しの上通過口入口に差込み上通過口出口に貫通され、第６０２結合部材の先端取手を、第６０１結合部材の２穴ベルト通しの下通過口入口に差込み下通過口出口に貫通された、布帯製２穴ベルト通しを使用した事を特徴とする、布帯製２穴ベルト通し付き地点間移動装置。
【請求項７】
請求項６、記載内容に於いて、枕として布袋の内部に弾力性の有る樹脂性ビーズや樹脂性パイプや綿やそば殻や籾殻などを入れ長方形に複数作成して腰枕とし、地点に該腰枕を接続して、他の地点に他の腰枕を接続し、地点間移動装置に腰枕を取付けた事を特徴とした腰枕付き姿勢保持具。
【請求項８】
請求項６及び請求項７、記載内容に於いて、頭枕用布袋と弾力材をきつめに詰めた枕袋Ａと弾力材を緩めに詰めた枕袋Ｂを各複数作成し、頭枕の布袋に枕袋Ａと枕袋Ｂを並べて入れ、頭枕内の枕袋Ａが地点取手側になるようにして、該頭枕を地点に配置し、該頭枕の該枕袋Ａの下部部分を２穴ベルト通しの該地点に接続して第８０１結合部材とし、他の頭枕の布袋に他の枕袋Ａと他の枕袋Ｂを並べて入れ、該頭枕内の枕袋Ａが他の地点取手側になるようにして、該頭枕を他の地点に配置し、該頭枕の該枕袋Ａの下部部分を他の２穴ベルト通しの該地点に接続して第８０２結合部材とし、第８０１結合部材の先端取手を、第８０２結合部材の２穴ベルト通しの上通過口入口に差込み上通過口出口に貫通され、第８０２結合部材の先端取手を、第８０１結合部材の２穴ベルト通しの下通過口入口に差込み下通過口出口に貫通された、地点間移動装置に頭枕を取付けた事を特徴とした頭枕付き姿勢保持具。
【発明の詳細な説明】
【技術分野】
【０００１】  本発明は、物品と他の物品の両物品間直線上で両物品の移動を容易に行う事に関する。
【背景技術】
【０００２】  物品と他の物品の両物品間直線上で両物品の移動を手軽な操作で容易に行う方法が求められていた。
【先行技術文献】
【特許文献】
【０００３】
【特許文献１】実用新案登録第３０４３５３１号
【特許文献２】実用新案登録第３１２１００５号
【特許文献３】特開２０１４−０８７５７９号
【発明の概要】
【発明が解決しようとする課題】
【０００４】  マットや布団上など凹凸のある場所での物品と他の物品の両物品間直線上で両物品の移動を容易に行う方法が求められていた。
【発明が解決するための手段】
【０００５】  本発明は、物品と他の物品を設置する地点を個別に設け、各地点にベルトとベルト通しを接続して、両地点をベルトとベルト通しで結び、それぞれのベルト先端部を外側に引張る事で物品と他の物品は近づき、それぞれの地点を外側に引張る事で物品と他の物品は遠ざかるものである。
【発明を実施するための形態】
【０００６】  本発明を実施するための形態として複数の実施例を、図１から図１９０を使って説明する。
【０００７】  １個の通過口を持ったベルト通しとベルトを、それぞれを複数作成する。
図１及び図６に示すベルト通しは、ベルト通し４の一端の通過口入口４Ａの上部に、ベルト１の一端を接続して、該ベルト１の他端をベルト先端部２とした第１０１結合部材としたものである。
図２及び図６に示すベルト通しは、他ベルト通し１４の一端の通過口入口１４Ａの下部に、他ベルト１１の一端を接続して、該ベルト１１の他端をベルト先端部１２とした第１０２結合部材としたものである。
図３及び図６に示す第１０１結合部材のベルト先端部２は、第１０２結合部材のベルト通し１４の通過口入口１４Ａに差込み通過口出口１４Ｂに貫通され、第１０２結合部材のベルト先端部１２は、第１０１結合部材のベルト通し４の通過口入口４Ａに差込み通過口出口４Ｂに貫通されて地点間移動装置としたものである。
図４に示す該地点間移動装置は、第１０１結合部材のベルト通し４の上部を地点５とし、第１０２結合部材のベルト通し１４の上側部を地点１５としたものであり、作用は、第１０１結合部材のベルト先端部２と第１０２結合部材のベルト先端部１２を外側に引張ると、第１０１結合部材の地点５と第１０２結合部材の地点１５は近づき、第１０１結合部材の地点５と第１０２結合部材の地点１５を外側に引張ると、第１０１結合部材の地点５と第１０２結合部材の地点１５は遠ざかるものであり、この事を特徴とした地点間移動装置である。
【０００８】  図１に示す第１０１結合部材と、図２に示す第１０２結合部材を用いて、先端取手及び地点取手を取付け、取手を取付けた事を特徴とする地点間移動装置を提供する。
図２１及び図２６に示すベルト通しは、ベルト通し２０４の一端の通過口出口２０４Ｂの上部に地点取手２０６を接続し、該ベルト通し２０４の他端の通過口入口２０４Ａの上部にベルト２０１の一端を接続し、該ベルト２０１の他端に先端取手２０３を接続して第２０１結合部材としたものである。
図２２及び図２６に示すベルト通しは、他のベルト通し２１４の一端の通過口出口２１４Ｂの上部に地点取手２１６を接続し、該ベルト通し２１４の他端に通過口入口２１４Ａの下部に他のベルト２１１の一端を接続し、該ベルト２１１の他端に他の先端取手２１３を接続して第２０２結合部材としたものである。
図２３及び図２６に示す第２０１結合部材の先端取手２０３は、第２０２結合部材のベルト通し２１４の通過口入口２１４Ａに差込み通過口出口２１４Ｂに貫通され、第２０２結合部材の先端取手２１３は、第２０１結合部材のベルト通し２０４の通過口入口２０４Ａに差込み通過口出口２０４Ｂに貫通されて地点間移動装置としたものである。
図２４に示す該地点間移動装置は、第２０１結合部材のベルト通し２０４の上部を地点２０５とし、第２０２結合部材のベルト通し２１４の上部を地点２１５としたものであり作用は、先端取手２０３と２１３を、外側に引張ると地点２０５と２１５は近づき、地点取手２０６と２１６を、外側に引張ると地点２０５と２１５は遠ざかるものであり、取手を取付けた事を特徴とする取手付き地点間移動装置である。
【０００９】  図２１に示す第２０１結合部材と図２２に示す第２０２結合部材を用いて、ベルト通しの通過口は、上通過口と下通過口と２口設けて２穴ベルト通しとして複数作成し、２穴ベルト通し付き地点間移動装置を提供する。
２穴ベルト通しの特徴として、１種類の結合部材２個作成で第２０１結合部材と第２０１結合部材を設ける事が出来る。
図３１及び図３６に示す第３０１結合部材は、２穴ベルト通し３０７の一端の上通過口出口３０７Ｂ上部に地点取手３０６を接続し、該２穴ベルト通し３０７の他端の上通過口入口３０７Ａと下通過口入口３０７Ｃとの中間部にベルト３０１の一端を接続し、該ベルト３０１の他端に先端取手３０３を接続して、第３０１結合部材としたものである。
図３２及び図３６に示す第３０２結合部材は、他の２穴ベルト通し３１７の一端の上通過口出口３１７Ｂ上部に他の地点取手３１６を接続し、該２穴ベルト通し３１７の他端の上通過口入口３１７Ａと下通過口入口３１７Ｃとの中間部に、他のベルト３１１の一端を接続し、該ベルト３１１の他端に、他の先端取手３１３を接続して、第３０２結合部材としたものである。
図３３及び図３６に示す第３０１結合部材の先端取手３０３は、第３０２結合部材のベルト通し３１７の上通過口入口３１７Ａに差込み上通過口出口３１７Ｂに貫通され、第３０２結合部材の先端取手３１３は、第３０１結合部材の２穴ベルト通し３０７の下通過口入口３０７Ｃに差込み下通過口出口３０７Ｄに貫通された、２穴ベルト通し付き地点間移動装置である。
図３４に示す地点は、第３０１結合部材の２穴ベルト通し３０７の上部を地点３０５とし、第３０２結合部材の２穴ベルト通し３１７の上部を地点３１５としたものであり作用は、先端取手３０３と３１３を、外側に引張ると地点３０５と３１５は近づき、地点取手３０６と３１６を外側に引張ると地点３０５と３１５は遠ざかるものであり、２穴ベルト通しを使用した事を特徴とする２穴ベルト通し付き地点間移動装置である。
２穴ベルト通し使用の結合部材は、同じ形状であり、製作種類として、第３０１結合部材を複数製作するのみで第３０２結合部材にもなるので、大量生産に対応した装置である。
【００１０】  第１０１結合部材、第１０２結合部材、第２０１結合部材、第２０２結合部材、第３０１結合部材、第３０２結合部材、の製作部材を布とした布製地点間移動装置を提供する。
マットや布団上など凹凸のある場所でも容易に地点間移動が機能充分に行えるように製作部材として布を使用した事を特徴とした布製地点間移動装置である。
【００１１】  図２１に示す第２０１結合部材と図２２に示す第２０２結合部材を用いて、ベルト通しの製材を布製帯とした、布帯製ベルト通し付き地点間移動装置を提供する。
帯は、同一寸法で、上帯５００１と５１０２と下帯５００３と５１０３とを作成する。
図１５１、に示す上帯は、上帯５００１の長手方向の中間部分の幅方向の一端に地点取手５０６を接続し、該上帯５００１の長手方向の中間部分の幅方向の他端に、ベルト５０１の一端を接続し、該ベルト５０１の他端に先端取手５０３を接続したものである。
下帯５００３は、そのままで良い。
図５１図５６及び図１５１に示す第５０１結合部材は、該上帯５００１と該下帯５００３を重ね合せて、長手方向の中間部分に他ベルトが通る為の通過口入口５０４Ａ及び通過口出口５０４Ｂ用の寸法を確保し、該中間部分以外の他の部分に縫合部Ａ５０１０と縫合部Ｂ５０２０用の寸法を確保して、該縫合部Ａ５０１０と該縫合部Ｂ５０２０のそれぞれをミシン縫い等で縫い合せて第５０１結合部材としたものである。
図１５２に示す上帯は、他の上帯５１０１の長手方向の中間部分の幅方向の一端に他の地点取手５１６を接続し、他の下帯５１０３の長手方向の中間部分の幅方向の他端に、他のベルト５１１の一端を接続し、該ベルト５１１の他端に他の先端取手５１３を接続したものである。
図５２図５６及び図１５２に示す第５０２結合部材は、該上帯５１０１と該下帯５１０３を該先端取手５１３と該地点取手５１６が反対方向に位置するように重ね合せて長手方向の中間部分に他のベルト５０１が通る為の通過口入口５１４Ａ及び通過口出口５１４Ｂ用の寸法を確保し、該中間部分以外の他の部分に縫合部Ａ５１１０と縫合部Ｂ５１２０用の寸法を確保して、縫合部Ａ５１１０と縫合部Ｂ５１２０のそれぞれをミシン縫い等で縫い合せて第５０２結合部材としたものである。
図５３及び図５６に示す第５０１結合部材の先端取手５０３は、第５０２結合部材のベルト通し５１４の通過口入口５１４Ａに差込み通過口出口５１４Ｂに貫通され、第５０２結合部材の先端取手５１３は、第５０１結合部材のベルト通し５０４の通過口入口５０４Ａに差込み通過口出口５０４Ｂに貫通されて、図５４に示す地点は、第５０１結合部材のベルト通し５０４の上部を地点５０５、第５０２結合部材のベルト通し５１４の上部を他の地点５１５としたのもである。作用は、先端取手５０３と５１３を、外側に引張ると地点５０５と５１５は近づき、地点取手５０６と５１６を、外側に引張ると地点５０５と５１５は遠ざかるものであり、布帯製ベルト通しを使用した事を特徴とする布帯製ベルト通し付き地点間移動装置である。
【００１２】  図３１に示す第３０１結合部材と図３２に示す第３０２結合部材を用いて、２穴ベルト通しの製材を布製帯とした、布帯製２穴ベルト通し付き地点間移動装置を提供する。
２穴ベルト通しの製材を布製帯とし、帯は上帯６００１と６１０１、中帯６００２と６１０２、下帯６００３と６１０３を同じ寸法で作成する。
図１６１に示す上帯は、上帯６００１の長手方向の中間部分の幅方向の一端に地点取手６０６を接続し、中帯６００２の長手方向の中間部分の幅方向の一端に、ベルト６０１の一端を接続し、該ベルト６０１の他端に先端取手６０３を接続したものである。
下帯６００３は、そのままで良い。
図６１及び図６６に示す第６０１結合部材は、該上帯６００１と該中帯６００２と該下帯６００３を、該先端取手６０３と該地点取手６０６が反対方向に位置するように重ね合せて、長手方向の中間部分に、他のベルト６１１が通る為の上通過口入口６０７Ａ及び上通過口出口６０７Ｂ用の寸法を確保し、該中間部分以外の他の部分に縫合部Ａ６０１０と縫合部Ｂ６０２０用の寸法を確保して、該縫合部Ａ６０１０と該縫合部Ｂ６０２０のそれぞれをミシン縫い等で縫い合せ第６０１結合部材としたものである。
図６２に示す第６０２結合部材は、第６０１結合部材と同様を作成して、他を第６０２結合部材としたものである。
図６３及び図６６に示す第６０１結合部材の先端取手６０３は、第６０２結合部材の２穴ベルト通し６１７の上通過口入口６１７Ａに差込み上通過口出口６１７Ｂに貫通され、第６０２結合部材の先端取手６１３は、第６０１結合部材の２穴ベルト通し６０７の下通過口入口６０７Ｃに差込み下通過口出口６０７Ｄに貫通されて、図６４に示す地点は、第６０１結合部材の２穴ベルト通し６０７の上部を地点６０５とし、第６０２結合部材の２穴ベルト通し６１７の上部を他の地点６１５としたものである。作用は、先端取手６０３と６１３を、外側に引張ると地点６０５と６１５は近づき、地点取手６０６と６１６を、外側に引張ると地点６０５と６１５は遠ざかるものであり、布帯製２穴ベルト通しを使用した事を特徴とする布帯製２穴ベルト通し付き地点間移動装置である。
２穴ベルト通し使用の結合部材は同じ形状であり、製作種類として、第６０１結合部材を複数製作するのみで第６０２結合部材にもなるので、大量生産に対応した装置である。
【００１３】  仰向けに長時間寝た直後の起床時に、腰部に痛みが生じる時がある。この腰部の痛みの原因は、人体内臓の重さで背骨が沈み脊髄や脊髄神経を圧迫してじん帯圧迫によると言われている。また、同じ姿勢を長時間続けることにより腰周辺の筋肉が血流低下や酸欠状態をおこし筋線維が炎症物質を放出して腰に痛みが出る。
この痛みが生じないようにしたり和らげたりする方法として腰を仰向けから横向きにしたり腰の片方ずつを浮かせたり寝返りをしたりしている。
この腰の片方を浮かせた状態を保つのが大変苦痛で解決が求められていた。
この腰を浮かせたり横向き状態を保つ為に、本発明で姿勢保持具である腰枕を発明した。
枕をマットや布団上など凹凸のある場所でも簡単な操作で容易に使用出来るように布袋とし、布袋の内部に弾力性の有る樹脂性ビーズや樹脂性パイプやそば殻や籾殻などを入れ、長方形に作成して腰枕とした。
本発明の腰枕は、腰の片方を浮かせた状態を容易に安定した姿勢を保持出来るので、人体内臓の重さが脊髄や脊髄神経に加わる荷重量が軽減されると同時に、腰周辺の筋肉である脊柱起立筋、長背筋郡、腹筋、大殿筋、大腿四頭筋、大腿二頭筋の疲労も軽減されるので、腰痛が軽減される効果がある。
本発明の腰枕は、この腰の片方づつを浮かせた状態を容易に安定した姿勢を保持できるので、寝返り等が容易に出来る。寝返りの回数を増やす事で、腰痛の原因の一つである脊髄や脊髄神経に加わる人体内臓の荷重量の軽減保持が容易に出来る。同時に、腰痛の原因のもう一つである腰周辺の筋肉の疲労に対しても、寝返りの回数を増やす事で、疲労の蓄積が軽減されるので腰痛が軽減される姿勢保持具である。
この上記の事は、治療用姿勢保持具でもある。
【００１４】  腰枕は、マットや布団上など凹凸のある場所でも簡単操作で容易に使用出来るように布袋とし、布袋の内部に弾力性の有る樹脂性ビーズや樹脂性パイプや綿やそば殻や籾殻などを入れて長方形に複数作成して、腰枕とする。
図６１に示す第６０１結合部材と図６２に示す第６０２結合部材を用いて、布帯製２穴ベルト通しの各地点に布製腰枕を取付けた、地点間移動装置に腰枕を取付けた事を特徴とした腰枕付き姿勢保持具を提供する。
図７３に示す地点間移動装置は、腰枕７０８と７１８を取行けた事を特徴とした腰枕付き姿勢保持具である。
図７１に示す第７０１結合部材は、図６１に示す第６０１結合部材を用いて、地点に枕７０８を接続して第７０１結合部材としたものである。
図７２に示す第７０２結合部材は、図６２に示す第６０２結合部材を用いて、地点に枕７１８を接続して第７０２結合部材としたものである。
図７３及び図７６に示す姿勢保持具は、第７０１結合部材の先端取手７０３を、第７０２結合部材の２穴ベルト通し７１７の上通過口入口７１７Ａに差込み上通過口出口７１７Ｂに貫通され、第７０２結合部材の先端取手７１３を、第７０１結合部材の２穴ベルト通し７０７の下通過口入口７０７Ｃに差込み下通過口出口７０７Ｄに貫通されて姿勢保持具としたものである。作用は、先端取手７０３と７１３を外側に引張ると腰枕７０８と７１８は近づき、地点取手７０６と７１６を外側に引張ると腰枕７０８と７１８は遠ざかるものである。
腰枕を地点間移動装置に取付て、腰枕の移動を手軽な操作で容易に行う事のできるようにした事を特徴とした腰枕付き姿勢保持具である。
第７０１結合部材と第７０２結合部材は同じ形状であり、製作種類として、一種類の結合部材を製作する事で、第７０１結合部材にも第７０２結合部材にもなるので、大量生産に対応した装置である。
使用方法は、先ず地点取手７０６と７１６をお互い外側に引張り、腰枕７０８と７１８の幅を広げておいて、図１７１及び図１７２に示すように腰枕は、仰向けに寝ている人体７１０の腰両側に設置する。
左側の腰を浮かせた時は、先端取手７０３を外側に引張り腰枕７０８を浮かせた腰の下に入れて、浮かせた腰の姿勢を保持する。
図１７３に示す様子は、左腰を浮かせ腰下に腰枕７０８が入り姿勢保持している状態である。
腰を仰向けに戻したい時は、地点取手７０６を外側に引張り腰枕７０８を腰下から移動させて腰の下から外し図１７１及び図１７２に示すように、腰枕７０８及び７１８が腰の両側に設置される。
右側の腰を浮かせた時は、先端取手７１３を外側に引張り腰枕７１８を浮かせた腰の下に入れて、浮かせた姿勢を保持している。
図１７４に示す様子は、右腰を浮かせ腰下に腰枕７１８が入り、浮かせた姿勢を保持している状態である。
腰を仰向けに戻したい時は、地点取手７１６を外側に引張り腰枕７１８を腰下から移動させて腰の下から外し図１７１及び図１７２に示すように、腰枕７０８及び７１８が腰の両側に設置される。
図１７３と図１７４及び図１７５に示す様子は、腰の浮き角度θ１、θ２、θ３、に合わせ、腰枕７０８と７１８の設置位置を先端取手７０３と７１３、地点取手７０６と７１６を使って調整し姿勢保持した状態である。
図１７６に示す様子は、腰枕７０８と７１８を、横向きになった人体７１０の両側の腰に接触して設置し、腰枕７０８と７１８が横向き状態を容易に安定した姿勢保持が出来ている状態を示している。
図１７３に示す腰枕７１８は、浮いた片方の腰下を支える腰枕７０８に対し、床に接地している側の腰に接触して設置して、より安定した姿勢を保持するように作用している。
図１７４及び図１７５に示す腰枕７０８は、浮いた片方の腰下を支える腰枕７１８に対し、接地している側の腰に接触して設置して、より安定した姿勢を保持するように作用している。
図１７２、図１７３、図１７４及び図１７５に示すベルト７０１と７１１は、人体７１０の下部に位置して体重がベルト７０１と７１１に加わっており、その結果ベルト間のすべり止め効果があり、腰枕７０８と７１８は、使用中に外側に自然に移動すること無く、設置した現在状態の姿勢保持ができる。
【００１５】  図６１に示す第６０１結合部材と図６２に示す第６０２結合部材を用いて、布帯製２穴ベルト通しの各地点に変形自在な布製枕を取付け頭枕とする。地点間移動装置を利用した枕の高さ調整を可能とした頭枕付き姿勢保持具を提供する。
図８３に示す頭枕８０９と８１９は、頭用枕である。
仰向け寝や横向き寝に最適な枕高８０９Ｈを安易に設定できる装置を提供する。
頭枕用布袋と弾力材をきつめに詰めた枕袋Ａと弾力材を緩めに詰めた枕袋Ｂを複数作成し、頭枕８０９の布袋に枕袋Ａ８０９Ａと枕袋Ｂ８０９Ｂを並べて入れ、頭枕８１９の布袋に枕袋Ａ８１９Ａと枕袋Ｂ８１９Ｂを並べて入れる。
図８１及び図８６に示す第８０１結合部材は、図６１に示す第６０１結合部材を用いて、頭枕８０９内の枕袋Ａ８０９Ａが地点取手８０６側に来るように該頭枕８０９を地点８０５に配置し、該頭枕８０９の該枕袋Ａ８０９Ａの下部部分を２穴ベルト通し８０７の上部分の地点８０５に接続して第８０１結合部材としたものである。
図８２及び図８６に示す第８０２結合部材は、図６２に示す第６０２結合部材を用いて、他の頭枕８１９内の枕袋Ａ８１９Ａが他の地点取手８１６側に来るように該頭枕８１９を他の地点８１５に配置し、該頭枕８１９の該枕袋Ａ８１９Ａの下部部分を２穴ベルト通し８１７の上部分の地点８１５に接続して第８０２結合部材としたものである。
図８３及び図８６に示す姿勢保持具は、第８０１結合部材の先端取手８０３を、第８０２結合部材の２穴ベルト通し８１７の上通過口入口８１７Ａに差込み上通過口出口８１７Ｂに貫通され、第８０２結合部材の先端取手８１３を、第８０１結合部材の２穴ベルト通し８０７の下通過口入口８０７Ｃに差込み下通過口出口８０７Ｄに貫通されたものである。
作用は、先端取手８０３と８１３を外側に引張ると、頭枕８０９，８１９は近づき枕高８０９Ｈは低くなり、地点取手８０６と８１６を外側に引張ると頭枕８０９と８１９は遠ざかり枕高８０９Ｈは高くなるものであり、地点間移動装置を利用して枕の高さ調整を可能とした頭枕付き姿勢保持具である。
図１８２と図１８４と図１８６と図１８８及び図１９０に示す様子は、頭枕付き姿勢保持具の両先端部取手８０３と８１３を外側に引張ると、両頭枕８０９と８１９は近づき接触し押されて内圧が発生し、両頭枕８０９と８１９内の枕袋Ａ８０９Ａと８１９Ａと枕袋Ｂ８０９Ｂと８１９Ｂは、弾力材をきつめに詰めた枕袋Ａ８０９Ａと８１９Ａが壁となり、弾力材を緩めに詰めた枕袋Ｂ８０９Ｂと８１９Ｂの弾力材は内圧を緩和させる為に上方向に移動し枕高８０９Ｈは高くなるものである。
図１８１と図１８３と図１８５と図１８７及び図１８９に示す様子は、頭枕付き姿勢保持具の両地点取手８０６と８１６を外側に引張ると、両頭枕８０９と８１９は遠ざかり内圧は低くなり、両頭枕８０９と８１９内の枕袋Ｂ８０９Ｂと８１９Ｂの内圧も低下し緩めに詰めた弾力材は自重により平になるように移動して、枕高８０９Ｈは低くなるものである。
使用方法は、横向き寝で枕高８０９Ｈを高くしたい時は、先端取手８０３と８１３を外側に引張り、使用者が心地よい高さにし、地点取手８０６と８１６を外側に引張り高さの微調整をする。
仰向け寝になり枕高８０９Ｈを低くしたい時は、地点取手８０６と８１６を外側に引張り、使用者が心地よい高さにし、先端取手８０３と８１３を外側に引張り高さの微調整をする。
図１８５及び図１８６は、緩く詰めた枕袋Ｂを１個で組上げた例である。
図１８７及び図１８８は、きつく詰めた枕袋Ａを固形物８０９Ｃと８１９Ｃにして組上げた例である。
図１８９及び図１９０は、愛用中枕８３００を頭枕８０９と８１９の上部に置き、上記記載の枕高８０９Ｈの高低作用を行う事で、愛用中枕８３００の枕高さ枕高８０９Ｈを調整する事が出来る。
先端取手８０３と８１３を外側に引張る事で、頭枕８０９と８１９が近づき、愛用中枕８３００の枕高さ枕高８０９Ｈを高くし、地点取手８０６と８１６を外側に引張る事で、頭枕８０９と頭枕８１９が遠ざかり、枕高８０９Ｈは低くなるものである。
【発明の効果】
【００１６】  仰向けに長時間寝た直後の起床時に、腰部に痛みが生じる時がある。この腰部の痛みの原因は、人体内臓の重さで背骨が沈み脊髄や脊髄神経を圧迫してじん帯圧迫によると言われている。また、同じ姿勢を長時間続けることにより腰周辺の筋肉が血流低下や酸欠状態をおこし筋線維が炎症物質を放出して腰に痛みが出る。
この痛みが生じないようにしたり和らげたりする方法として腰を仰向けから横向きにしたり腰の片方ずつを浮かせたり寝返りをしたりしている。
この腰の片方を浮かせた状態を保つのが大変苦痛で解決が求められていた。
この腰を浮かせたり横向き状態を保つ為に、本発明で姿勢保持具である腰枕を発明した。
枕をマットや布団上など凹凸のある場所でも簡単な操作で容易に使用出来るように布袋とし、布袋の内部に弾力性の有る樹脂性ビーズや樹脂性パイプや綿やそば殻や籾殻などを入れ、長方形に作成して腰枕とした。
本発明の腰枕は、腰の片方を浮かせた状態を容易に安定した姿勢を保持出来るので、人体内臓の重さが脊髄や脊髄神経に加わる荷重量が軽減されると同時に、腰周辺の筋肉である脊柱起立筋、長背筋郡、腹筋、大殿筋、大腿四頭筋、大腿二頭筋の疲労も軽減されるので、腰痛が軽減される効果がある。
本発明の腰枕は、この腰の片方づつを浮かせた状態を容易に安定した姿勢を保持できるので、寝返り等が容易に出来る。寝返りの回数を増やす事で、腰痛の原因の一つである脊髄や脊髄神経に加わる人体内臓の荷重量の軽減保持が容易に出来る。同時に、腰痛の原因のもう一つである腰周辺の筋肉の疲労に対しても、寝返りの回数を増やす事で、疲労の蓄積が軽減されるので腰痛が軽減される姿勢保持具である。
この上記の事は、治療用姿勢保持具でもある。
【実施例】
【００１７】  腰枕として図７３と図１７１と図１７３同様に頭枕として図８３と図１８３と図１８４が本発明の実施例である。
腰枕の使用方法は、先ず地点取手７０６と７１６をお互い外側に引張り、腰枕７０８と７１８の幅を広げておいて、図１７１及び図１７２に示すように腰枕は、仰向けに寝ている人体７１０の腰両側に設置する。
左側の腰を浮かせた時は、先端取手７０３を外側に引張り腰枕７０８を浮かせた腰の下に入れて、浮かせた腰の姿勢を保持する。
図１７３に示す様子は、左腰を浮かせ腰下に腰枕７０８が入り姿勢保持している状態である。
腰を仰向けに戻したい時は、地点取手７０６を外側に引張り腰枕７０８を腰下から移動させて腰の下から外し図１７１及び図１７２に示すように、腰枕７０８及び７１８が腰の両側に設置される。
右側の腰を浮かせた時は、先端取手７１３を外側に引張り腰枕７１８を浮かせた腰の下に入れて、浮かせた姿勢を保持している。
図１７４に示す様子は、右腰を浮かせ腰下に腰枕７１８が入り、浮かせた姿勢を保持している状態である。
腰を仰向けに戻したい時は、地点取手７１６を外側に引張り腰枕７１８を腰下から移動させて腰の下から外し図１７１及び図１７２に示すように、腰枕７０８及び７１８が腰の両側に設置される。
図１７３と図１７４及び図１７５に示す様子は、腰の浮き角度θ１、θ２、θ３、に合わせ、腰枕７０８，７１８の設置位置を先端取手７０３と７１３、地点取手７０６と７１６を使って調整し姿勢保持した状態である。
図１７６に示す様子は、腰枕７０８と７１８を、横向きになった人体７１０の両側の腰に接触して設置し、腰枕７０８と７１８が横向き状態を容易に安定した姿勢保持が出来ている状態を示している。
図１７３に示す腰枕７１８は、浮いた片方の腰下を支える腰枕７０８に対し、床に接地している側の腰に接触して設置して、より安定した姿勢を保持するように作用している。
図１７４及び図１７５に示す腰枕７０８は、浮いた片方の腰下を支える腰枕７１８に対し、接地している側の腰に接触して設置して、より安定した姿勢を保持するように作用している。
図１７２、図１７３、図１７４及び図１７５に示すベルト７０１と７１１は、人体７１０の下部に位置して体重がベルト７０１と７１１に加わっており、その結果ベルト間のすべり止め効果があり、腰枕７０８と７１８は、使用中に外側に自然に移動すること無く、設置した現在状態の姿勢保持ができる。
腰枕を地点間移動装置に取付て、腰枕の移動を手軽な操作で容易に行う事のできるようにした事を特徴とした腰枕付き姿勢保持具である。
【図面の簡単な説明】
【００１８】
【図１】  本発明の実施例である地点間移動装置の部品である第１０１結合部材を示す斜視図である。
【図２】  地点間移動装置の部品で、第１０２結合部材を示す斜視図である。
【図３】  地点間移動装置を示す斜視図である。
【図４】  地点間移動装置を示す平面図である。
【図５】  地点間移動装置を示す正面図である。
【図６】  地点間移動装置の図４におけるＡ−Ａ線間断面図である。
【図２１】  本発明の実施途中を示した取手付き地点間移動装置の部品である第２０１結合部材を示す斜視図である。
【図２２】  取手付き地点間移動装置の部品である第２０２結合部材を示す斜視図である。
【図２３】  取手付き地点間移動装置を示す斜視図である。
【図２４】  取手付き地点間移動装置を示す平面図である。
【図２５】  取手付き地点間移動装置を示す正面図である。
【図２６】  取手付き地点間移動装置の図２４におけるＢ−Ｂ線間断面図である。
【図３１】  本発明の実施例である２穴ベルト通し付き地点間移動装置の部品である第３０１結合部材を示す斜視図である。
【図３２】  ２穴ベルト通し付き地点間移動装置の部品で、第３０２結合部材を示す斜視図である。
【図３３】  ２穴ベルト通し付き地点間移動装置を示す斜視図である。
【図３４】  ２穴ベルト通し付き地点間移動装置を示す平面図である。
【図３５】  ２穴ベルト通し付き地点間移動装置を示す正面図である。
【図３６】  ２穴ベルト通し付き地点間移動装置の図３４におけるＣ−Ｃ線間断面図である。
【図５１】  本発明の実施例である布帯製ベルト通し付き地点間移動装置の部品である第５０１結合部材を示す斜視図である。
【図５２】  布帯製ベルト通し付き地点間移動装置の部品で、第５０２結合部材の斜視図である。
【図５３】  布帯製ベルト通し付き地点間移動装置を示す斜視図である。
【図５４】  布帯製ベルト通し付き地点間移動装置を示す平面図である。
【図５５】  布帯製ベルト通し付き地点間移動装置を示す正面図である。
【図５６】  布帯製ベルト通し付き地点間移動装置の図５４におけるＥ−Ｅ線間断面図である。
【図１５１】  布帯製ベルト通し付き地点間移動装置の部品である第５０１結合部材を示す斜視図である。
【図１５２】  布帯製ベルト通し付き地点間移動装置の部品である第５０２結合部材を示す斜視図である。
【図６１】  本発明の実施例である布帯製２穴ベルト通し付き地点間移動装置の部品である第６０１結合部材を示す斜視図である。
【図６２】  布帯製２穴ベルト通し付き地点間移動装置の部品で、第６０２結合部材を示す斜視図である。
【図６３】  布帯製２穴ベルト通し付き地点間移動装置を示す斜視図である。
【図６４】  布帯製２穴ベルト通し付き地点間移動装置を示す平面図である。
【図６５】  布帯製２穴ベルト通し付き地点間移動装置を示す正面図である。
【図６６】  布帯製２穴ベルト通し付き地点間移動装置の図６４におけるＦ−Ｆ線間断面図である。
【図１６１】  布帯製２穴ベルト通し付き地点間移動装置の部品である第６０１結合部材を示す斜視図である。
【図７１】  本発明の実施例である腰枕付き姿勢保持具の部品である第７０１結合部材を示す斜視図である。
【図７２】  腰枕付き姿勢保持具の部品で、第７０２結合部材を示す斜視図である。
【図７３】  腰枕付き姿勢保持具を示す斜視図である。
【図７４】  腰枕付き姿勢保持具を示す平面図である。
【図７５】  腰枕付き姿勢保持具を示す正面図である。
【図７６】  腰枕付き姿勢保持具の図７４におけるＧ−Ｇ線間断面図である。
【図１７１】  腰枕付き姿勢保持具を、人体７１０の腰両側に設置し、人体７１０の横方向から見た参考図である。
【図１７２】  腰枕付き姿勢保持具を、人体７１０の腰両側に設置し、人体７１０の頭方向から見た参考図である。
【図１７３】  腰枕付き姿勢保持具を、左腰を浮かせた人体７１０の左腰の下に設置した参考図である。
【図１７４】  腰枕付き姿勢保持具を、右腰を浮かせた人体７１０の右腰の下に設置した参考図である。
【図１７５】  腰枕つき姿勢保持具を、右腰を浮かせた人体７１０の右腰の下に設置した参考図である。
【図１７６】  腰枕つき姿勢保持具を、横向きになった人体７１０の腰両側に設置した参考図である。
【図８１】  本発明の実施例である頭枕付き姿勢保持具の部品である第８０１結合部材を示す斜視図である。
【図８２】  頭枕付き姿勢保持具の部品で、第８０２結合部材を示す斜視図である。
【図８３】  頭枕付き姿勢保持具を示す斜視図である。
【図８４】  頭枕付き姿勢保持具を示す平面図である。
【図８５】  頭枕付き姿勢保持具を示す正面図である。
【図８６】  頭枕付き姿勢保持具の図８４におけるＨ−Ｈ線間断面図である。
【図１８１】  頭枕付き姿勢保持具の地点取手８０６と８１６を外側に引張り、枕高８０９Ｈを低くする動作を示す参考図である。
【図１８２】  頭枕付き姿勢保持具の先端取手８０３と８１３を外側に引張り、枕高８０９Ｈを高くする動作を示す参考図である。
【図１８３】  頭枕付き姿勢保持具の地点取手８０６と８１６を外側に引張り、人体８１０への枕高８０９Ｈを低くする動作を示す参考図である。
【図１８４】  頭枕付き姿勢保持具の先端取手８０３と８１３を外側に引張り、人体への枕高８０９Ｈを高くする動作を示す参考図である。
【図１８５】  応用例１、頭枕付き姿勢保持具の地点取手８０６と８１６を外側に引張り、人体への枕高８０９Ｈを低くする動作を示す参考図である。
【図１８６】  応用例１、頭枕付き姿勢保持具の先端取手８０３と８１３を外側に引張り、人体への枕高８０９Ｈを高くする動作を示す参考図である。
【図１８７】  応用例２、頭枕付き姿勢保持具の地点取手８０６と８１６を外側に引張り、人体への枕高８０９Ｈを低くする動作を示す参考図である。
【図１８８】  応用例２、頭枕付き姿勢保持具の先端取手８０３と８１３を外側に引張り、人体への枕高８０９Ｈを高くする動作を示す参考図である。
【図１８９】  応用例３、頭枕付き姿勢保持具の地点取手８０６と８１６を外側に引張り、人体への枕高８０９Ｈを低くする動作を示す参考図である。
【図１９０】  応用例３、頭枕付き姿勢保持具の先端取手８０３と８１３を外側に引張り、人体への枕高８０９Ｈを高くする動作を示す参考図である。
【符号の説明】
【００１９】    １、１１，２０１、２１１、３０１，３１１，５０１，５１１，６０１，６１１，７０１，７１１，８０１，８１１、  ベルト
２、１２，２０２，２１２  ベルト先端部
３、１３，２０３，２１３，３０３，３１３，５０３，５１３，６０３，６１３，７０３，７１３，８０３，８１３  先端取手
４、１４，２０４，２１４，５０４，５１４  ベルト通し
４Ａ、１４Ａ，２０４Ａ，２１４Ａ，３０４Ａ，３１４Ａ，５０４Ａ，５１４Ａ，６０４Ａ，６１４Ａ，７０４Ａ，７１４Ａ，８０４Ａ，８１４Ａ  通過口入口
４Ｂ、１４Ｂ，２０４Ｂ，２１４Ｂ，３０４Ｂ，３１４Ｂ，５０４Ｂ，５１４Ｂ，６０４Ｂ，６１４Ｂ，７０４Ｂ，７１４Ｂ，８０４Ｂ，８１４Ｂ  通過口出口
５、１５，２０５，２１５，３０５，３１５，５０５，５１５，６０５，６１５，７０５，７１５，８０５，８１５  地点
６、１６，２０６，２１６，３０６，３１６，５０６，５１６，６０６，６１６，７０６，７１６，８０６，８１６  地点取手
３０７，３１７，６０７，６１７，７０７，７１７，８０７，８１７  ２穴ベルト通し  ３０７Ａ，３１７Ａ，６０７Ａ，６１７Ａ，７０７Ａ，７１７Ａ，８０７Ａ，８１７Ａ上通過口入口
３０７Ｂ，３１７Ｂ，６０７Ｂ，６１７Ｂ，７０７Ｂ，７１７Ｂ，８０７Ｂ，８１７Ｂ上通過口出口
３０７Ｃ，３１７Ｃ，６０７Ｃ，６１７Ｃ，７０７Ｃ，７１７Ｃ，８０７Ｃ，８１７Ｃ下通過口入口
３０７Ｄ，３１７Ｄ，６０７Ｄ，６１７Ｄ，７０７Ｄ，７１７Ｄ，８０７Ｄ，８１７Ｄ下通過口出口
７０８，７１８  腰枕
８０９，８１９  頭枕
８０９Ａ，８１９Ａ  枕袋Ａ
８０９Ｂ，８１９Ｂ  枕袋Ｂ
８０９Ｃ、８１９Ｃ  固形物
８０９Ｈ  枕高
８１０  人体
５００１，５１０１，６００１，６１０１  上帯
６００２，６１０２  中帯
５００３，５１０３，６００３，６１０３  下帯
５０１０，５１１０，６０１０，６１１０  縫合部Ａ
５０２０，５１２０，６０２０，６１２０  縫合部Ｂ
８３００  愛用中枕
【図１】
2020192296.tif 000003
【図２】
2020192296.tif 000004
【図３】
2020192296.tif 000005
【図４】
2020192296.tif 000006
【図５】
2020192296.tif 000007
【図６】
2020192296.tif 000008
【図２１】
2020192296.tif 000009
【図２２】
2020192296.tif 000010
【図２３】
2020192296.tif 000011
【図２４】
2020192296.tif 000012
【図２５】
2020192296.tif 000013
【図２６】
2020192296.tif 000014
【図３１】
2020192296.tif 000015
【図３２】
2020192296.tif 000016
【図３３】
2020192296.tif 000017
【図３４】
2020192296.tif 000018
【図３５】
2020192296.tif 000019
【図３６】
2020192296.tif 000020
【図５１】
2020192296.tif 000021
【図５２】
2020192296.tif 000022
【図５３】
2020192296.tif 000023
【図５４】
2020192296.tif 000024
【図５５】
2020192296.tif 000025
【図５６】
2020192296.tif 000026
【図１５１】
2020192296.tif 000027
【図１５２】
2020192296.tif 000028
【図６１】
2020192296.tif 000029
【図６２】
2020192296.tif 000030
【図６３】
2020192296.tif 000031
【図６４】
2020192296.tif 000032
【図６５】
2020192296.tif 000033
【図６６】
2020192296.tif 000034
【図１６１】
2020192296.tif 000035
【図７１】
2020192296.tif 000036
【図７２】
2020192296.tif 000037
【図７３】
2020192296.tif 000038
【図７４】
2020192296.tif 000039
【図７５】
2020192296.tif 000040
【図７６】
2020192296.tif 000041
【図１７１】
2020192296.tif 000042
【図１７２】
2020192296.tif 000043
【図１７３】
2020192296.tif 000044
【図１７４】
2020192296.tif 000045
【図１７５】
2020192296.tif 000046
【図１７６】
2020192296.tif 000047
【図８１】
2020192296.tif 000048
【図８２】
2020192296.tif 000049
【図８３】
2020192296.tif 000050
【図８４】
2020192296.tif 000051
【図８５】
2020192296.tif 000052
【図８６】
2020192296.tif 000053
【図１８１】
2020192296.tif 000054
【図１８２】
2020192296.tif 000055
【図１８３】
2020192296.tif 000056
【図１８４】
2020192296.tif 000057
【図１８５】
2020192296.tif 000058
【図１８６】
2020192296.tif 000059
【図１８７】
2020192296.tif 000060
【図１８８】
2020192296.tif 000061
【図１８９】
2020192296.tif 000062
【図１９０】
2020192296.tif 000063
【手続補正書】
【提出日】令和1年8月16日(2019.8.16)
【手続補正１】
【補正対象書類名】図面
【補正対象項目名】全図
【補正方法】変更
【補正の内容】
【図１】
2020192296.tif 000064
【図２】
2020192296.tif 000065
【図３】
2020192296.tif 000066
【図４】
2020192296.tif 000067
【図５】
2020192296.tif 000068
【図６】
2020192296.tif 000069
【図７】
2020192296.tif 000070
【図８】
2020192296.tif 000071
【図９】
2020192296.tif 000072
【図１０】
2020192296.tif 000073
【図１１】
2020192296.tif 000074
【図１２】
2020192296.tif 000075
【図１３】
2020192296.tif 000076
【図１４】
2020192296.tif 000077
【図１５】
2020192296.tif 000078
【図１６】
2020192296.tif 000079
【図１７】
2020192296.tif 000080
【図１８】
2020192296.tif 000081
【図１９】
2020192296.tif 000082
【図２０】
2020192296.tif 000083
【図２１】
2020192296.tif 000084
【図２２】
2020192296.tif 000085
【図２３】
2020192296.tif 000086
【図２４】
2020192296.tif 000087
【図２５】
2020192296.tif 000088
【図２６】
2020192296.tif 000089
【図２７】
2020192296.tif 000090
【図２８】
2020192296.tif 000091
【図２９】
2020192296.tif 000092
【図３０】
2020192296.tif 000093
【図３１】
2020192296.tif 000094
【図３２】
2020192296.tif 000095
【図３３】
2020192296.tif 000096
【図３４】
2020192296.tif 000097
【図３５】
2020192296.tif 000098
【図３６】
2020192296.tif 000099
【図３７】
2020192296.tif 000100
【図３８】
2020192296.tif 000101
【図３９】
2020192296.tif 000102
【図４０】
2020192296.tif 000103
【図４１】
2020192296.tif 000104
【図４２】
2020192296.tif 000105
【図４３】
2020192296.tif 000106
【図４４】
2020192296.tif 000107
【図４５】
2020192296.tif 000108
【図４６】
2020192296.tif 000109
【図４７】
2020192296.tif 000110
【図４８】
2020192296.tif 000111
【図４９】
2020192296.tif 000112
【図５０】
2020192296.tif 000113
【図５１】
2020192296.tif 000114
【図５２】
2020192296.tif 000115
【図５３】
2020192296.tif 000116
【図５４】
2020192296.tif 000117
【図５５】
2020192296.tif 000118
【図５６】
2020192296.tif 000119
【図５７】
2020192296.tif 000120
【図５８】
2020192296.tif 000121
【図５９】
2020192296.tif 000122
【図６０】
2020192296.tif 000123
【図６１】
2020192296.tif 000124
【手続補正書】
【提出日】令和1年8月16日(2019.8.16)
【手続補正１】
【補正対象書類名】特許請求の範囲
【補正対象項目名】全文
【補正方法】変更
【補正の内容】
【特許請求の範囲】
【請求項１】
１個の通過口を持ったベルト通しとベルトを、それぞれを複数作成し、ベルト通しの一端の通過口入口の上部に、ベルトの一端を接続して、該ベルトの他端をベルト先端部とした第１０１結合部材とし、他のベルト通しの一端の通過口入口の下部に、他のベルトの一端を接続して、該ベルトの他端をベルト先端部とした第１０２結合部材とし、第１０１結合部材のベルト先端部を、第１０２結合部材のベルト通しの通過口入口に差込み通過口出口に貫通され、第１０２結合部材のベルト先端部を、第１０１結合部材のベルト通しの通過口入口に差込み通過口出口に貫通され、各ベルト通しの上部を地点としたことを特徴とする地点間移動装置。
【請求項２】
請求項１、の記載内容において、第１０１結合部材のベルト通しの一端の通過口出口の上部に地点取手を接続し、ベルト先端部に先端取手を接続して第２０１結合部材とし、第１０２結合部材のベルト通しの一端の通過口出口の上部に他の地点取手を接続し、ベルト先端部に他の先端取手を接続して第２０２結合部材とし、第２０１結合部材の先端取手を、第２０２結合部材のベルト通しの通過口入口に差込み通過口出口に貫通され、第２０２結合部材の先端取手を、第２０１結合部材のベルト通しの通過口入口に差込み通過口出口に貫通された、取手を付けた事を特徴とする取手付き地点間移動装置。
【請求項３】
請求項１及び請求項２記載内容に於いて、ベルト通しの通過口を上通過口と下通過口と２口設けて２穴ベルト通しとして複数作成し、２穴ベルト通しの一端の上通過口出口の上部に地点取手を接続し、該２穴ベルト通しの他端の上通過口入口と下通過口入口との中間部にベルトの一端を接続し、該ベルトの他端に先端取手を接続して、第３０１結合部材とし、他の２穴ベルト通しの一端の上通過口出口上部に他の地点取手を接続し、該２穴ベルト通しの他端の上通過口入口と下通過口入口との中間部に、他のベルトの一端を接続し、該ベルトの他端に他の先端取手を接続して、第３０２結合部材とし、第３０１結合部材の先端取手を、第３０２結合部材の２穴ベルト通しの上通過口入口に差込み上通過口出口に貫通され、第３０２結合部材の先端取手を、第３０１結合部材の２穴ベルト通しの下通過口入口に差込み下通過口出口に貫通された、２穴ベルト通しを使用した事を特徴とする２穴ベルト通し付き地点間移動装置。
【請求項４】
請求項１、請求項２、及び請求項３記載内容に於いて、製作部材として布を使用した事を特徴とした布製地点間移動装置。
【請求項５】
請求項２、及び  請求項４記載内容に於いて、ベルト通しの製材を布製帯として、帯は同一寸法で、上帯と下帯を各複数作成し、上帯の長手方向の中間部分の幅方向の一端に地点取手を接続し、該上帯の長手方向の中間部分の幅方向の他端にベルトの一端を接続し、該ベルトの他端に先端取手を接続し、該上帯と該下帯を重ね合せ長手方向の中間部分に他のベルトが通る為の通過口入口と通過口出口用寸法を確保し、該中間部分以外の他の部分に縫合部Ａと縫合部Ｂ用の寸法を確保し、縫合部Ａと縫合部Ｂのそれぞれをミシン縫い等で縫い合せて第５０１結合部材とし、他の上帯の長手方向中間部分の幅方向の一端に他の地点取手を接続し、他の下帯の長手方向中間部分の幅方向の一端に他のベルトの一端を接続し、該ベルトの他端に他の先端取手を接続し、該上帯と該下帯の該先端取手と該地点取手が反対方向に位置するように重ね合せて長手方向の中間部分に、他のベルトが通る為の通過口入口と通過口出口用の寸法を確保し、該中間部分以外の他の部分に縫合部Ａと縫合部Ｂ用の寸法を確保し、縫合部Ａと縫合部Ｂのそれぞれをミシン縫い等で縫い合せて第５０２結合部材とし、第５０１結合部材の先端取手を、第５０２結合部材のベルト通しの通過口入口に差込み通過口出口に貫通され、第５０２結合部材の先端取手を、第５０１結合部材のベルト通しの通過口入口に差込み通過口出口に貫通された、ベルト通し製材を布帯とした事を特徴とする布帯製ベルト通し付き地点間移動装置。
【請求項６】
請求項１、請求項２、及び  請求項３、記載内容に於いて、２穴ベルト通しの製材を布製帯とし、帯は上帯、中帯、下帯を同じ寸法で各複数作成し、上帯の長手方向の中間部分の幅方向の一端に地点取手を接続し、中帯の長手方向の中間部分の幅方向の一端に、ベルトの一端を接続し、該ベルトの他端に先端取手を接続し、該上帯と該中帯と該下帯を、該先端取手と該地点取手が反対方向に位置するように重ね合せて、長手方向の中間部分に、他のベルトが通る為の上通過口入口、上通過口出口用の寸法を確保し、該中間部分の他の部分に縫合部Ａと縫合部Ｂ用の寸法を確保し、縫合部Ａと縫合部Ｂのそれぞれをミシン縫い等で縫い合せて第６０１結合部材とし、第６０１結合部材と同様を作成して、他を第６０２結合部材とし、第６０１結合部材の先端取手を、第６０２結合部材の２穴ベルト通しの上通過口入口に差込み上通過口出口に貫通され、第６０２結合部材の先端取手を、第６０１結合部材の２穴ベルト通しの下通過口入口に差込み下通過口出口に貫通された、布帯製２穴ベルト通しを使用した事を特徴とする、布帯製２穴ベルト通し付き地点間移動装置。
【請求項７】
請求項６、記載内容に於いて、枕として布袋の内部に弾力性の有る樹脂性ビーズや樹脂性パイプや綿やそば殻や籾殻などを入れ長方形に複数作成して腰枕とし、地点に該腰枕を接続して、他の地点に他の腰枕を接続し、地点間移動装置に腰枕を取付けた事を特徴とした腰枕付き姿勢保持具。
【請求項８】
請求項６及び請求項７、記載内容に於いて、頭枕用の布袋と弾力材をきつめに詰めた枕袋Ａと弾力材を緩めに詰めた枕袋Ｂを各複数作成し、頭枕の布袋に枕袋Ａと枕袋Ｂを、頭枕内の枕袋Ａが地点取手側になるように並べ入れて、該頭枕を地点に配置し、該頭枕の該枕袋Ａの下部分を２穴ベルト通しの該地点に接続して第８０１結合部材とし、他の頭枕の布袋に他の枕袋Ａと他の枕袋Ｂを、該頭枕内の枕袋Ａが他の地点取手側になるように並べ入れて、該頭枕を他の地点に配置し、該頭枕の該枕袋Ａの下部分を他の２穴ベルト通しの該地点に接続して第８０２結合部材とし、第８０１結合部材の先端取手を、第８０２結合部材の２穴ベルト通しの上通過口入口に差込み上通過口出口に貫通され、第８０２結合部材の先端取手を、第８０１結合部材の２穴ベルト通しの下通過口入口に差込み下通過口出口に貫通された、地点間移動装置に頭枕を取付けた事を特徴とした頭枕付き姿勢保持具。
【手続補正２】
【補正対象書類名】明細書
【補正対象項目名】全文
【補正方法】変更
【補正の内容】
【発明の詳細な説明】
【技術分野】
【０００１】  本発明は、物品と他の物品の両物品間直線上で両物品の移動を容易に行う事に関する。
【背景技術】
【０００２】  物品と他の物品の両物品間直線上で両物品の移動を手軽な操作で容易に行う方法が求められていた。
【先行技術文献】
【特許文献】
【０００３】
【特許文献１】実用新案登録第３０４３５３１号
【特許文献２】実用新案登録第３１２１００５号
【特許文献３】特開２０１４−０８７５７９号
【発明の概要】
【発明が解決しようとする課題】
【０００４】  マットや布団上など凹凸のある場所での物品と他の物品の両物品間直線上で両物品の移動を容易に行う方法が求められていた。
【発明が解決するための手段】
【０００５】  本発明は、物品と他の物品を設置する地点を個別に設け、各地点にベルトとベルト通しを接続して、両地点をベルトとベルト通しで結び、それぞれのベルト先端部を外側に引張る事で物品と他の物品は近づき、それぞれの地点を外側に引張る事で物品と他の物品は遠ざかるものである。
【発明を実施するための形態】
【０００６】  本発明を実施するための形態として複数の実施例を、図１から図６１を使って説明する。
【０００７】  １個の通過口を持ったベルト通しとベルトを、それぞれを複数作成する。
図１及び図６に示すベルト通しは、ベルト通し４の一端の通過口入口４Ａの上部に、ベルト１の一端を接続して、該ベルト１の他端をベルト先端部２とした第１０１結合部材としたものである。
図２及び図６に示すベルト通しは、他ベルト通し１４の一端の通過口入口１４Ａの下部に、他ベルト１１の一端を接続して、該ベルト１１の他端をベルト先端部１２とした第１０２結合部材としたものである。
図３及び図６に示す第１０１結合部材のベルト先端部２は、第１０２結合部材のベルト通し１４の通過口入口１４Ａに差込み通過口出口１４Ｂに貫通され、第１０２結合部材のベルト先端部１２は、第１０１結合部材のベルト通し４の通過口入口４Ａに差込み通過口出口４Ｂに貫通されて地点間移動装置としたものである。
図４に示す該地点間移動装置は、第１０１結合部材のベルト通し４の上部を地点５とし、第１０２結合部材のベルト通し１４の上側部を地点１５としたものであり、作用は、第１０１結合部材のベルト先端部２と第１０２結合部材のベルト先端部１２を外側に引張ると、第１０１結合部材の地点５と第１０２結合部材の地点１５は近づき、第１０１結合部材の地点５と第１０２結合部材の地点１５を外側に引張ると、第１０１結合部材の地点５と第１０２結合部材の地点１５は遠ざかるものであり、この事を特徴とした地点間移動装置である。
【０００８】  図１に示す第１０１結合部材と、図２に示す第１０２結合部材を用いて、先端取手及び地点取手を取付け、取手を取付けた事を特徴とする地点間移動装置を提供する。
図７及び図１２に示すベルト通しは、ベルト通し２０４の一端の通過口出口２０４Ｂの上部に地点取手２０６を接続し、該ベルト通し２０４の他端の通過口入口２０４Ａの上部にベルト２０１の一端を接続し、該ベルト２０１の他端に先端取手２０３を接続して第２０１結合部材としたものである。
図８及び図１２に示すベルト通しは、他のベルト通し２１４の一端の通過口出口２１４Ｂの上部に地点取手２１６を接続し、該ベルト通し２１４の他端に通過口入口２１４Ａの下部に他のベルト２１１の一端を接続し、該ベルト２１１の他端に他の先端取手２１３を接続して第２０２結合部材としたものである。
図９及び図１２に示す第２０１結合部材の先端取手２０３は、第２０２結合部材のベルト通し２１４の通過口入口２１４Ａに差込み通過口出口２１４Ｂに貫通され、第２０２結合部材の先端取手２１３は、第２０１結合部材のベルト通し２０４の通過口入口２０４Ａに差込み通過口出口２０４Ｂに貫通されて地点間移動装置としたものである。
図１０に示す該地点間移動装置は、第２０１結合部材のベルト通し２０４の上部を地点２０５とし、第２０２結合部材のベルト通し２１４の上部を地点２１５としたものであり作用は、先端取手２０３と２１３を、外側に引張ると地点２０５と２１５は近づき、地点取手２０６と２１６を、外側に引張ると地点２０５と２１５は遠ざかるものであり、取手を取付けた事を特徴とする取手付き地点間移動装置である。
【０００９】  図７に示す第２０１結合部材と図８に示す第２０２結合部材を用いて、ベルト通しの通過口は、上通過口と下通過口と２口設けて２穴ベルト通しとして複数作成し、２穴ベルト通し付き地点間移動装置を提供する。
２穴ベルト通しの特徴として、１種類の結合部材２個作成で第２０１結合部材と第２０１結合部材を設ける事が出来る。
図１３及び図１８に示す第３０１結合部材は、２穴ベルト通し３０７の一端の上通過口出口３０７Ｂ上部に地点取手３０６を接続し、該２穴ベルト通し３０７の他端の上通過口入口３０７Ａと下通過口入口３０７Ｃとの中間部にベルト３０１の一端を接続し、該ベルト３０１の他端に先端取手３０３を接続して、第３０１結合部材としたものである。
図１４及び図１８に示す第３０２結合部材は、他の２穴ベルト通し３１７の一端の上通過口出口３１７Ｂ上部に他の地点取手３１６を接続し、該２穴ベルト通し３１７の他端の上通過口入口３１７Ａと下通過口入口３１７Ｃとの中間部に、他のベルト３１１の一端を接続し、該ベルト３１１の他端に、他の先端取手３１３を接続して、第３０２結合部材としたものである。
図１５及び図１８に示す第３０１結合部材の先端取手３０３は、第３０２結合部材のベルト通し３１７の上通過口入口３１７Ａに差込み上通過口出口３１７Ｂに貫通され、第３０２結合部材の先端取手３１３は、第３０１結合部材の２穴ベルト通し３０７の下通過口入口３０７Ｃに差込み下通過口出口３０７Ｄに貫通された、２穴ベルト通し付き地点間移動装置である。
図１６に示す地点は、第３０１結合部材の２穴ベルト通し３０７の上部を地点３０５とし、第３０２結合部材の２穴ベルト通し３１７の上部を地点３１５としたものであり作用は、先端取手３０３と３１３を、外側に引張ると地点３０５と３１５は近づき、地点取手３０６と３１６を外側に引張ると地点３０５と３１５は遠ざかるものであり、２穴ベルト通しを使用した事を特徴とする２穴ベルト通し付き地点間移動装置である。
２穴ベルト通し使用の結合部材は、同じ形状であり、製作種類として、第３０１結合部材を複数製作するのみで第３０２結合部材にもなるので、大量生産に対応した装置である。
【００１０】  第１０１結合部材、第１０２結合部材、第２０１結合部材、第２０２結合部材、第３０１結合部材、第３０２結合部材、の製作部材を布とした布製地点間移動装置を提供する。
マットや布団上など凹凸のある場所でも容易に地点間移動が機能充分に行えるように製作部材として布を使用した事を特徴とした布製地点間移動装置である。
【００１１】  図７に示す第２０１結合部材と図８に示す第２０２結合部材を用いて、ベルト通しの製材を布製帯とした、布帯製ベルト通し付き地点間移動装置を提供する。
帯は、同一寸法で、上帯５００１と５１０２と下帯５００３と５１０３とを作成する。
図２５、に示す上帯は、上帯５００１の長手方向の中間部分の幅方向の一端に地点取手５０６を接続し、該上帯５００１の長手方向の中間部分の幅方向の他端に、ベルト５０１の一端を接続し、該ベルト５０１の他端に先端取手５０３を接続したものである。
下帯５００３は、そのままで良い。
図１９、図２４及び図２５に示す結合部材は、該上帯５００１と該下帯５００３を重ね合せて、長手方向の中間部分に他ベルトが通る為の通過口入口５０４Ａ及び通過口出口５０４Ｂ用の寸法を確保し、該中間部分以外の他の部分に縫合部Ａ５０１０と縫合部Ｂ５０２０用の寸法を確保して、該縫合部Ａ５０１０と該縫合部Ｂ５０２０のそれぞれをミシン縫い等で縫い合せて第５０１結合部材としたものである。
図２６に示す上帯は、他の上帯５１０１の長手方向の中間部分の幅方向の一端に他の地点取手５１６を接続し、他の下帯５１０３の長手方向の中間部分の幅方向の他端に、他のベルト５１１の一端を接続し、該ベルト５１１の他端に他の先端取手５１３を接続したものである。
図２０、図２４及び図２６に示す結合部材は、該上帯５１０１と該下帯５１０３を該先端取手５１３と該地点取手５１６が反対方向に位置するように重ね合せて長手方向の中間部分に他のベルト５０１が通る為の通過口入口５１４Ａ及び通過口出口５１４Ｂ用の寸法を確保し、該中間部分以外の他の部分に縫合部Ａ５１１０と縫合部Ｂ５１２０用の寸法を確保して、縫合部Ａ５１１０と縫合部Ｂ５１２０のそれぞれをミシン縫い等で縫い合せて第５０２結合部材としたものである。
図２１及び図２４に示す第５０１結合部材の先端取手５０３は、第５０２結合部材のベルト通し５１４の通過口入口５１４Ａに差込み通過口出口５１４Ｂに貫通され、第５０２結合部材の先端取手５１３は、第５０１結合部材のベルト通し５０４の通過口入口５０４Ａに差込み通過口出口５０４Ｂに貫通されて、図２２に示す地点は、第５０１結合部材のベルト通し５０４の上部を地点５０５、第５０２結合部材のベルト通し５１４の上部を他の地点５１５としたのもである。作用は、先端取手５０３と５１３を、外側に引張ると地点５０５と５１５は近づき、地点取手５０６と５１６を、外側に引張ると地点５０５と５１５は遠ざかるものであり、布帯製ベルト通しを使用した事を特徴とする布帯製ベルト通し付き地点間移動装置である。
【００１２】  図１３に示す第３０１結合部材と図１４に示す第３０２結合部材を用いて、２穴ベルト通しの製材を布製帯とした、布帯製２穴ベルト通し付き地点間移動装置を提供する。
２穴ベルト通しの製材を布製帯とし、帯は上帯６００１と６１０１、中帯６００２と６１０２、下帯６００３と６１０３を同じ寸法で作成する。
図３３に示す上帯は、上帯６００１の長手方向の中間部分の幅方向の一端に地点取手６０６を接続し、中帯６００２の長手方向の中間部分の幅方向の一端に、ベルト６０１の一端を接続し、該ベルト６０１の他端に先端取手６０３を接続したものである。
下帯６００３は、そのままで良い。
図２７及び図３２に示す結合部材は、該上帯６００１と該中帯６００２と該下帯６００３を、該先端取手６０３と該地点取手６０６が反対方向に位置するように重ね合せて、長手方向の中間部分に、他のベルト６１１が通る為の上通過口入口６０７Ａ及び上通過口出口６０７Ｂ用の寸法を確保し、該中間部分以外の他の部分に縫合部Ａ６０１０と縫合部Ｂ６０２０用の寸法を確保して、該縫合部Ａ６０１０と該縫合部Ｂ６０２０のそれぞれをミシン縫い等で縫い合せ第６０１結合部材としたものである。
図２８に示す結合部材は、第６０１結合部材と同様を作成して、他を第６０２結合部材としたものである。
図２９及び図３２に示す第６０１結合部材の先端取手６０３は、第６０２結合部材の２穴ベルト通し６１７の上通過口入口６１７Ａに差込み上通過口出口６１７Ｂに貫通され、第６０２結合部材の先端取手６１３は、第６０１結合部材の２穴ベルト通し６０７の下通過口入口６０７Ｃに差込み下通過口出口６０７Ｄに貫通されて、図３０に示す地点は、第６０１結合部材の２穴ベルト通し６０７の上部を地点６０５とし、第６０２結合部材の２穴ベルト通し６１７の上部を他の地点６１５としたものである。作用は、先端取手６０３と６１３を、外側に引張ると地点６０５と６１５は近づき、地点取手６０６と６１６を、外側に引張ると地点６０５と６１５は遠ざかるものであり、布帯製２穴ベルト通しを使用した事を特徴とする布帯製２穴ベルト通し付き地点間移動装置である。
２穴ベルト通し使用の結合部材は同じ形状であり、製作種類として、第６０１結合部材を複数製作するのみで第６０２結合部材にもなるので、大量生産に対応した装置である。
【００１３】  仰向けに長時間寝た直後の起床時に、腰部に痛みが生じる時がある。この腰部の痛みの原因は、人体内臓の重さで背骨が沈み脊髄や脊髄神経を圧迫してじん帯圧迫によると言われている。また、同じ姿勢を長時間続けることにより腰周辺の筋肉が血流低下や酸欠状態をおこし筋線維が炎症物質を放出して腰に痛みが出る。
この痛みが生じないようにしたり和らげたりする方法として腰を仰向けから横向きにしたり腰の片方ずつを浮かせたり寝返りをしたりしている。
この腰の片方を浮かせた状態を保つのが大変苦痛で解決が求められていた。
この腰を浮かせたり横向き状態を保つ為に、本発明で姿勢保持具である腰枕を発明した。
枕をマットや布団上など凹凸のある場所でも簡単な操作で容易に使用出来るように布袋とし、布袋の内部に弾力性の有る樹脂性ビーズや樹脂性パイプやそば殻や籾殻などを入れ、長方形に作成して腰枕とした。
本発明の腰枕は、腰の片方を浮かせた状態を容易に安定した姿勢を保持出来るので、人体内臓の重さが脊髄や脊髄神経に加わる荷重量が軽減されると同時に、腰周辺の筋肉である脊柱起立筋、長背筋郡、腹筋、大殿筋、大腿四頭筋、大腿二頭筋の疲労も軽減されるので、腰痛が軽減される効果がある。
本発明の腰枕は、この腰の片方づつを浮かせた状態を容易に安定した姿勢を支援し保持できるので、寝返り等が容易に出来る。寝返りの回数を増やす事で、腰痛の原因の一つである脊髄や脊髄神経に加わる人体内臓の荷重量の軽減保持が容易に出来る。同時に、腰痛の原因のもう一つである腰周辺の筋肉の疲労に対しても、寝返りの回数を増やす事で、疲労の蓄積が軽減されるので腰痛が軽減される横寝支援具及び姿勢保持具である。
この上記の横寝支援具及び姿勢保持具は、治療用姿勢保持具でもある。
【００１４】  腰枕は、マットや布団上など凹凸のある場所でも簡単操作で容易に使用出来るように布袋とし、布袋の内部に弾力性の有る樹脂性ビーズや樹脂性パイプや綿やそば殻や籾殻などを入れて長方形に複数作成して、腰枕とする。
図２７に示す第６０１結合部材と図２８に示す第６０２結合部材を用いて、布帯製２穴ベルト通しの各地点に布製腰枕を取付けた、地点間移動装置に腰枕を取付けた事を特徴とした腰枕付き姿勢保持具を提供する。
図３６に示す地点間移動装置は、腰枕７０８と７１８を取行けた事を特徴とした横寝支援用の腰枕付き姿勢保持具である。
図３４に示す結合部材は、図２７に示す第６０１結合部材を用いて、地点に枕７０８を接続して第７０１結合部材としたものである。
図３５に示す結合部材は、図２８に示す第６０２結合部材を用いて、地点に枕７１８を接続して第７０２結合部材としたものである。
図３６及び図３９に示す姿勢保持具は、第７０１結合部材の先端取手７０３を、第７０２結合部材の２穴ベルト通し７１７の上通過口入口７１７Ａに差込み上通過口出口７１７Ｂに貫通され、第７０２結合部材の先端取手７１３を、第７０１結合部材の２穴ベルト通し７０７の下通過口入口７０７Ｃに差込み下通過口出口７０７Ｄに貫通されて姿勢保持具としたものである。作用は、先端取手７０３と７１３を外側に引張ると腰枕７０８と７１８は近づき、地点取手７０６と７１６を外側に引張ると腰枕７０８と７１８は遠ざかるものである。
腰枕を地点間移動装置に取付て、腰枕の移動を手軽な操作で容易に行う事のできるようにした事を特徴とした横寝支援用の腰枕付き姿勢保持具である。
第７０１結合部材と第７０２結合部材は同じ形状であり、製作種類として、一種類の結合部材を製作する事で、第７０１結合部材にも第７０２結合部材にもなるので、大量生産に対応した装置である。
使用方法は、先ず地点取手７０６と７１６をお互い外側に引張り、腰枕７０８と７１８の幅を広げておいて、図４０及び図４１に示すように腰枕は、仰向けに寝ている人体７１０の腰両側に設置する。
左側の腰を浮かせた時は、先端取手７０３を外側に引張り腰枕７０８を浮かせた腰の下に入れて、浮かせた腰の姿勢を保持する。
図４２に示す様子は、左腰を浮かせ腰下に腰枕７０８が入り浮かせた腰の状態を支援し姿勢保持している状態である。
腰を仰向けに戻したい時は、地点取手７０６を外側に引張り腰枕７０８を腰下から移動させて腰の下から外し図４０及び図４１に示すように、腰枕７０８及び７１８が腰の両側に設置される。
右側の腰を浮かせた時は、先端取手７１３を外側に引張り腰枕７１８を浮かせた腰の下に入れて、浮かせた姿勢を保持する。
図４３に示す様子は、右腰を浮かせ腰下に腰枕７１８が入り、浮かせた腰の状態を支援し姿勢を保持している状態である。
腰を仰向けに戻したい時は、地点取手７１６を外側に引張り腰枕７１８を腰下から移動させて腰の下から外し図４０及び図４１に示すように、腰枕７０８及び７１８が腰の両側に設置される。
図４２と図４３及び図４４に示す様子は、腰の浮き角度θ１、θ２、θ３、に合わせ、腰枕７０８と７１８の設置位置を先端取手７０３と７１３、地点取手７０６と７１６を使って調整し姿勢保持した状態である。
図４５に示す様子は、腰枕７０８と７１８を、横向きになった人体７１０の両側の腰に接触して設置し、腰枕７０８と７１８が人体７１０の横向き状態を容易に支援し安定した姿勢保持が出来ている状態を示している。
図４２に示す腰枕７１８は、浮いた片方の腰下を支える腰枕７０８に対し、床に接地している側の腰に接触して設置して、より安定した姿勢を支援し保持するよう作用している。
図４３及び図４４に示す腰枕７０８は、浮いた片方の腰下を支える腰枕７１８に対し、床に接地している側の腰に接触して設置して、より安定した姿勢を支援し保持するように作用している。
図４１、図４２、図４３及び図４４に示すベルト７０１と７１１は、人体７１０の下部に位置して体重がベルト７０１と７１１に加わっており、その結果ベルト間のすべり止め効果があり、腰枕７０８と７１８は、使用中に外側に自然に移動すること無く、設置した現在状態の姿勢保持ができる。
【００１５】  図２７に示す第６０１結合部材と図２８に示す第６０２結合部材を用いて、布帯製２穴ベルト通しの各地点に変形自在な布製枕を取付け頭枕とする。地点間移動装置を利用した枕の高さ調整を可能とした頭枕付き姿勢保持具を提供する。
図４８に示す頭枕８０９と８１９は、頭用枕である。
仰向け寝や横向き寝に最適な枕高８０９Ｈを安易に設定できる装置を提供する。
頭枕用布袋と弾力材をきつめに詰めた枕袋Ａと弾力材を緩めに詰めた枕袋Ｂを複数作成し、頭枕８０９の布袋に枕袋Ａ８０９Ａと枕袋Ｂ８０９Ｂを並べて入れ、頭枕８１９の布袋に枕袋Ａ８１９Ａと枕袋Ｂ８１９Ｂを並べて入れる。
図４６及び図５１に示す結合部材は、図２７に示す第６０１結合部材を用いて、頭枕８０９内の枕袋Ａ８０９Ａが地点取手８０６側に来るように該頭枕８０９を地点８０５に配置し、該頭枕８０９の該枕袋Ａ８０９Ａの下部部分を２穴ベルト通し８０７の上部分の地点８０５に接続して第８０１結合部材としたものである。
図４７及び図５１に示す結合部材は、図２８に示す第６０２結合部材を用いて、他の頭枕８１９内の枕袋Ａ８１９Ａが他の地点取手８１６側に来るように該頭枕８１９を他の地点８１５に配置し、該頭枕８１９の該枕袋Ａ８１９Ａの下部部分を２穴ベルト通し８１７の上部分の地点８１５に接続して第８０２結合部材としたものである。
図４８及び図５１に示す姿勢保持具は、第８０１結合部材の先端取手８０３を、第８０２結合部材の２穴ベルト通し８１７の上通過口入口８１７Ａに差込み上通過口出口８１７Ｂに貫通され、第８０２結合部材の先端取手８１３を、第８０１結合部材の２穴ベルト通し８０７の下通過口入口８０７Ｃに差込み下通過口出口８０７Ｄに貫通されたものである。
作用は、先端取手８０３と８１３を外側に引張ると、頭枕８０９，８１９は近づき枕高８０９Ｈは低くなり、地点取手８０６と８１６を外側に引張ると頭枕８０９と８１９は遠ざかり枕高８０９Ｈは高くなるものであり、地点間移動装置を利用して枕の高さ調整を可能とした頭枕付き姿勢保持具である。
図５３と図５５と図５７と図５９及び図６１に示す様子は、頭枕付き姿勢保持具の両先端部取手８０３と８１３を外側に引張ると、両頭枕８０９と８１９は近づき接触し押されて内圧が発生し、両頭枕８０９と８１９内の枕袋Ａ８０９Ａと８１９Ａと枕袋Ｂ８０９Ｂと８１９Ｂは、弾力材をきつめに詰めた枕袋Ａ８０９Ａと８１９Ａが壁となり、弾力材を緩めに詰めた枕袋Ｂ８０９Ｂと８１９Ｂの弾力材は内圧を緩和させる為に上方向に移動し枕高８０９Ｈは高くなるものである。
図５２と図５４と図５６と図５８及び図６０に示す様子は、頭枕付き姿勢保持具の両地点取手８０６と８１６を外側に引張ると、両頭枕８０９と８１９は遠ざかり内圧は低くなり、両頭枕８０９と８１９内の枕袋Ｂ８０９Ｂと８１９Ｂの内圧も低下し緩めに詰めた弾力材は自重により平になるように移動して、枕高８０９Ｈは低くなるものである。
使用方法は、横向き寝で枕高８０９Ｈを高くしたい時は、先端取手８０３と８１３を外側に引張り、使用者が心地よい高さにし、地点取手８０６と８１６を外側に引張り高さの微調整をする。
仰向け寝になり枕高８０９Ｈを低くしたい時は、地点取手８０６と８１６を外側に引張り、使用者が心地よい高さにし、先端取手８０３と８１３を外側に引張り高さの微調整をする。
図５６及び図５７は、緩く詰めた枕袋Ｂを１個で組上げた例である。
図５８及び図５９は、きつく詰めた枕袋Ａを固形物８０９Ｃと８１９Ｃにして組上げた例である。
図６０及び図６１は、愛用中枕８３００を頭枕８０９と８１９の上部に置き、上記記載の枕高８０９Ｈの高低作用を行う事で、愛用中枕８３００の枕高さ枕高８０９Ｈを調整する事が出来て、先端取手８０３と８１３を外側に引張る事で、頭枕８０９と８１９が近づき、愛用中枕８３００の枕高さ枕高８０９Ｈを高くし、地点取手８０６と８１６を外側に引張る事で、頭枕８０９と頭枕８１９が遠ざかり、枕高８０９Ｈは低くなるものである。
【発明の効果】
【００１６】  地点間移動装置を利用した姿勢保持具での効果を下記に示す。
仰向けに長時間寝た直後の起床時に、腰部に痛みが生じる時がある。この腰部の痛みの原因は、人体内臓の重さで背骨が沈み脊髄や脊髄神経を圧迫してじん帯圧迫によると言われている。また、同じ姿勢を長時間続けることにより腰周辺の筋肉が血流低下や酸欠状態をおこし筋線維が炎症物質を放出して腰に痛みが出る。
この痛みが生じないようにしたり和らげたりする方法として腰を仰向けから横向きにしたり腰の片方ずつを浮かせたり寝返りをしたりしている。
この腰の片方を浮かせた状態を保つのが大変苦痛で解決が求められていた。
この腰を浮かせたり横向き状態を保つ為に、本発明で姿勢保持具である腰枕を発明した。
枕をマットや布団上など凹凸のある場所でも簡単な操作で容易に使用出来るように布袋とし、布袋の内部に弾力性の有る樹脂性ビーズや樹脂性パイプや綿やそば殻や籾殻などを入れ、長方形に作成して腰枕とした。
本発明の腰枕は、腰の片方を浮かせた状態を容易に安定した姿勢を保持出来るので、人体内臓の重さが脊髄や脊髄神経に加わる荷重量が軽減されると同時に、腰周辺の筋肉である脊柱起立筋、長背筋郡、腹筋、大殿筋、大腿四頭筋、大腿二頭筋の疲労も軽減されるので、腰痛が軽減される効果がある。
本発明の腰枕は、この腰の片方づつを浮かせた状態を容易に安定した姿勢を支援し保持できるので、寝返り等が容易に出来る。寝返りの回数を増やす事で、腰痛の原因の一つである脊髄や脊髄神経に加わる人体内臓の荷重量の軽減保持が容易に出来る。同時に、腰痛の原因のもう一つである腰周辺の筋肉の疲労に対しても、寝返りの回数を増やす事で、疲労の蓄積が軽減されるので腰痛が軽減される横寝支援具及び姿勢保持具である。
この上記の横寝支援具及び姿勢保持具は、治療用姿勢保持具でもある。
【実施例】
【００１７】  腰枕として図３６と図４０と図４２同様に頭枕として図４８と図５４と図５５が本発明の一実施例である。
腰枕の使用方法は、先ず地点取手７０６と７１６をお互い外側に引張り、腰枕７０８と７１８の幅を広げておいて、図４０及び図４１に示すように腰枕は、仰向けに寝ている人体７１０の腰両側に設置する。
左側の腰を浮かせた時は、先端取手７０３を外側に引張り腰枕７０８を浮かせた腰の下に入れて、浮かせた腰の姿勢を保持する。
図４２に示す様子は、左腰を浮かせ腰下に腰枕７０８が入り姿勢保持している状態である。
腰を仰向けに戻したい時は、地点取手７０６を外側に引張り腰枕７０８を腰下から移動させて腰の下から外し図４０及び図４１に示すように、腰枕７０８及び７１８が腰の両側に設置される。
右側の腰を浮かせた時は、先端取手７１３を外側に引張り腰枕７１８を浮かせた腰の下に入れて、浮かせた姿勢を保持している。
図４３に示す様子は、右腰を浮かせ腰下に腰枕７１８が入り、浮かせた姿勢を保持している状態である。
腰を仰向けに戻したい時は、地点取手７１６を外側に引張り腰枕７１８を腰下から移動させて腰の下から外し図４０及び図４１に示すように、腰枕７０８及び７１８が腰の両側に設置される。
図４２と図４３及び図４４に示す様子は、腰の浮き角度θ１、θ２、θ３、に合わせて腰枕７０８及び７１８の設置位置を先端取手７０３と７１３、地点取手７０６と７１６を使って調整し姿勢保持した状態である。
図４５に示す様子は、腰枕７０８と７１８を、横向きになった人体７１０の両側の腰に接触して設置し、腰枕７０８と７１８が横向き状態を容易に安定した姿勢保持が出来ている状態を示している。
図４２に示す腰枕７１８は、浮いた片方の腰下を支える腰枕７０８に対し、床に接地している側の腰に接触して設置して、より安定した姿勢を保持するように作用している。
図４３及び図４４に示す腰枕７０８は、浮いた片方の腰下を支える腰枕７１８に対し、接地している側の腰に接触して設置して、より安定した姿勢を保持するように作用している。
図４１、図４２、図４３及び図４４に示すベルト７０１と７１１は、人体７１０の下部に位置して体重がベルト７０１と７１１に加わっており、その結果ベルト間のすべり止め効果があり、腰枕７０８と７１８は、使用中に外側に自然に移動すること無く、設置した現在状態の姿勢保持ができる。
腰枕を地点間移動装置に取付て、腰枕の移動を手軽な操作で容易に行う事のできるようにした事を特徴とした腰枕付き姿勢保持具である。
【図面の簡単な説明】
【００１８】
【図１】  本発明の実施例である地点間移動装置の部品である第１０１結合部材を示す斜視図である。
【図２】  地点間移動装置の部品で、第１０２結合部材を示す斜視図である。
【図３】  地点間移動装置を示す斜視図である。
【図４】  地点間移動装置を示す平面図である。
【図５】  地点間移動装置を示す正面図である。
【図６】  地点間移動装置の図４におけるＡ−Ａ線間断面図である。
【図７】  本発明の実施途中を示した取手付き地点間移動装置の部品である第２０１結合部材を示す斜視図である。
【図８】  取手付き地点間移動装置の部品である第２０２結合部材を示す斜視図である。
【図９】  取手付き地点間移動装置を示す斜視図である。
【図１０】  取手付き地点間移動装置を示す平面図である。
【図１１】  取手付き地点間移動装置を示す正面図である。
【図１２】  取手付き地点間移動装置の図２４におけるＢ−Ｂ線間断面図である。
【図１３】  本発明の実施例である２穴ベルト通し付き地点間移動装置の部品である第３０１結合部材を示す斜視図である。
【図１４】  ２穴ベルト通し付き地点間移動装置の部品で、第３０２結合部材を示す斜視図である。
【図１５】  ２穴ベルト通し付き地点間移動装置を示す斜視図である。
【図１６】  ２穴ベルト通し付き地点間移動装置を示す平面図である。
【図１７】  ２穴ベルト通し付き地点間移動装置を示す正面図である。
【図１８】  ２穴ベルト通し付き地点間移動装置の図３４におけるＣ−Ｃ線間断面図である。
【図１９】  本発明の実施例である布帯製ベルト通し付き地点間移動装置の部品である第５０１結合部材を示す斜視図である。
【図２０】  布帯製ベルト通し付き地点間移動装置の部品で、第５０２結合部材の斜視図である。
【図２１】  布帯製ベルト通し付き地点間移動装置を示す斜視図である。
【図２２】  布帯製ベルト通し付き地点間移動装置を示す平面図である。
【図２３】  布帯製ベルト通し付き地点間移動装置を示す正面図である。
【図２４】  布帯製ベルト通し付き地点間移動装置の図５４におけるＥ−Ｅ線間断面図である。
【図２５】  布帯製ベルト通し付き地点間移動装置の部品である第５０１結合部材を示す斜視図である。
【図２６】  布帯製ベルト通し付き地点間移動装置の部品である第５０２結合部材を示す斜視図である。
【図２７】  本発明の実施例である布帯製２穴ベルト通し付き地点間移動装置の部品である第６０１結合部材を示す斜視図である。
【図２８】  布帯製２穴ベルト通し付き地点間移動装置の部品で、第６０２結合部材を示す斜視図である。
【図２９】  布帯製２穴ベルト通し付き地点間移動装置を示す斜視図である。
【図３０】  布帯製２穴ベルト通し付き地点間移動装置を示す平面図である。
【図３１】  布帯製２穴ベルト通し付き地点間移動装置を示す正面図である。
【図３２】  布帯製２穴ベルト通し付き地点間移動装置の図６４におけるＦ−Ｆ線間断面図である。
【図３３】  布帯製２穴ベルト通し付き地点間移動装置の部品である第６０１結合部材を示す斜視図である。
【図３４】  本発明の実施例である腰枕付き姿勢保持具の部品である第７０１結合部材を示す斜視図である。
【図３５】  腰枕付き姿勢保持具の部品で、第７０２結合部材を示す斜視図である。
【図３６】  腰枕付き姿勢保持具を示す斜視図である。
【図３７】  腰枕付き姿勢保持具を示す平面図である。
【図３８】  腰枕付き姿勢保持具を示す正面図である。
【図３９】  腰枕付き姿勢保持具の図７４におけるＧ−Ｇ線間断面図である。
【図４０】  腰枕付き姿勢保持具を、人体７１０の腰両側に設置し、人体７１０の横方向から見た参考図である。
【図４１】  腰枕付き姿勢保持具を、人体７１０の腰両側に設置し、人体７１０の頭方向から見た参考図である。
【図４２】  腰枕付き姿勢保持具を、左腰を浮かせた人体７１０の左腰の下に設置した参考図である。
【図４３】  腰枕付き姿勢保持具を、右腰を浮かせた人体７１０の右腰の下に設置した参考図である。
【図４４】  腰枕つき姿勢保持具を、右腰を浮かせた人体７１０の右腰の下に設置した参考図である。
【図４５】  腰枕つき姿勢保持具を、横向きになった人体７１０の腰両側に設置した参考図である。
【図４６】  本発明の実施例である頭枕付き姿勢保持具の部品である第８０１結合部材を示す斜視図である。
【図４７】  頭枕付き姿勢保持具の部品で、第８０２結合部材を示す斜視図である。
【図４８】  頭枕付き姿勢保持具を示す斜視図である。
【図４９】  頭枕付き姿勢保持具を示す平面図である。
【図５０】  頭枕付き姿勢保持具を示す正面図である。
【図５１】  頭枕付き姿勢保持具の図８４におけるＨ−Ｈ線間断面図である。
【図５２】  頭枕付き姿勢保持具の地点取手８０６と８１６を外側に引張り、枕高８０９Ｈを低くする動作を示す参考図である。
【図５３】  頭枕付き姿勢保持具の先端取手８０３と８１３を外側に引張り、枕高８０９Ｈを高くする動作を示す参考図である。
【図５４】  頭枕付き姿勢保持具の地点取手８０６と８１６を外側に引張り、人体８１０への枕高８０９Ｈを低くする動作を示す参考図である。
【図５５】  頭枕付き姿勢保持具の先端取手８０３と８１３を外側に引張り、人体への枕高８０９Ｈを高くする動作を示す参考図である。
【図５６】  応用例１、頭枕付き姿勢保持具の地点取手８０６と８１６を外側に引張り、人体への枕高８０９Ｈを低くする動作を示す参考図である。
【図５７】  応用例１、頭枕付き姿勢保持具の先端取手８０３と８１３を外側に引張り、人体への枕高８０９Ｈを高くする動作を示す参考図である。
【図５８】  応用例２、頭枕付き姿勢保持具の地点取手８０６と８１６を外側に引張り、人体への枕高８０９Ｈを低くする動作を示す参考図である。
【図５９】  応用例２、頭枕付き姿勢保持具の先端取手８０３と８１３を外側に引張り、人体への枕高８０９Ｈを高くする動作を示す参考図である。
【図６０】  応用例３、頭枕付き姿勢保持具の地点取手８０６と８１６を外側に引張り、人体への枕高８０９Ｈを低くする動作を示す参考図である。
【図６１】  応用例３、頭枕付き姿勢保持具の先端取手８０３と８１３を外側に引張り、人体への枕高８０９Ｈを高くする動作を示す参考図である。
【符号の説明】
【００１９】    １、１１、２０１、２１１、３０１、３１１、５０１、５１１、６０１、６１１、７０１、７１１、８０１、８１１  ベルト
２、１２、２０２、２１２  ベルト先端部
３、１３、２０３、２１３、３０３、３１３、５０３、５１３、６０３、６１３、７０３、７１３、８０３、８１３  先端取手
４、１４、２０４、２１４、５０４、５１４  ベルト通し
４Ａ、１４Ａ、２０４Ａ、２１４Ａ、３０４Ａ、３１４Ａ、５０４Ａ、５１４Ａ、６０４Ａ、６１４Ａ、７０４Ａ、７１４Ａ、８０４Ａ、８１４Ａ  通過口入口
４Ｂ、１４Ｂ、２０４Ｂ、２１４Ｂ、３０４Ｂ、３１４Ｂ、５０４Ｂ、５１４Ｂ、６０４Ｂ、６１４Ｂ、７０４Ｂ、７１４Ｂ、８０４Ｂ、８１４Ｂ  通過口出口
５、１５、２０５、２１５、３０５、３１５、５０５、５１５、６０５、６１５、７０５、７１５、８０５、８１５  地点
６、１６、２０６、２１６、３０６、３１６、５０６、５１６、６０６、６１６、７０６、７１６、８０６、８１６  地点取手
３０７、３１７、６０７、６１７、７０７、７１７、８０７、８１７  ２穴ベルト通し  ３０７Ａ、３１７Ａ、６０７Ａ、６１７Ａ、７０７Ａ、７１７Ａ、８０７Ａ、８１７Ａ  上通過口入口
３０７Ｂ、３１７Ｂ、６０７Ｂ、６１７Ｂ、７０７Ｂ、７１７Ｂ、８０７Ｂ、８１７Ｂ  上通過口出口
３０７Ｃ、３１７Ｃ、６０７Ｃ、６１７Ｃ、７０７Ｃ、７１７Ｃ、８０７Ｃ、８１７Ｃ  下通過口入口
３０７Ｄ、３１７Ｄ、６０７Ｄ、６１７Ｄ、７０７Ｄ、７１７Ｄ、８０７Ｄ、８１７Ｄ  下通過口出口
７０８、７１８  腰枕
８０９、８１９  頭枕
８０９Ａ、８１９Ａ  枕袋Ａ
８０９Ｂ、８１９Ｂ  枕袋Ｂ
８０９Ｃ、８１９Ｃ  固形物
８０９Ｈ  枕高
７１０、８１０  人体
５００１、５１０１、６００１、６１０１  上帯
６００２、６１０２  中帯
５００３、５１０３、６００３、６１０３  下帯
５０１０、５１１０、６０１０、６１１０  縫合部Ａ
５０２０、５１２０、６０２０、６１２０  縫合部Ｂ
８３００  愛用中枕
【手続補正書】
【提出日】令和1年12月25日(2019.12.25)
【手続補正１】
【補正対象書類名】特許請求の範囲
【補正対象項目名】全文
【補正方法】変更
【補正の内容】
【特許請求の範囲】
【請求項１】
１個の通過口を持ったベルト通しとベルトを、それぞれを複数作成し、ベルト通しの一端の通過口入口の上部に、ベルトの一端を接続して、該ベルトの他端をベルト先端部とした第１０１結合部材とし、他のベルト通しの一端の通過口入口の下部に、他のベルトの一端を接続して、該ベルトの他端をベルト先端部とした第１０２結合部材とし、第１０１結合部材のベルト先端部を、第１０２結合部材のベルト通しの通過口入口に差込み通過口出口に貫通され、第１０２結合部材のベルト先端部を、第１０１結合部材のベルト通しの通過口入口に差込み通過口出口に貫通され、各ベルト通しの上部を地点としたことを特徴とする地点間移動装置。
【請求項２】
請求項１に記載の地点間移動装置において、第１０１結合部材のベルト通しの一端の通過口出口の上部に地点取手を接続し、ベルト先端部に先端取手を接続して第２０１結合部材とし、第１０２結合部材のベルト通しの一端の通過口出口の上部に他の地点取手を接続し、ベルト先端部に他の先端取手を接続して第２０２結合部材とし、第２０１結合部材の先端取手を、第２０２結合部材のベルト通しの通過口入口に差込み通過口出口に貫通され、第２０２結合部材の先端取手を、第２０１結合部材のベルト通しの通過口入口に差込み通過口出口に貫通された、取手を付けた事を特徴とする取手付き地点間移動装置。
【請求項３】
請求項１または２に記載の地点間移動装置において、ベルト通しの通過口を上通過口と下通過口と２口設けて２穴ベルト通しとして複数作成し、２穴ベルト通しの一端の上通過口出口の上部に地点取手を接続し、該２穴ベルト通しの他端の上通過口入口と下通過口入口との中間部にベルトの一端を接続し、該ベルトの他端に先端取手を接続して、第３０１結合部材とし、他の２穴ベルト通しの一端の上通過口出口上部に他の地点取手を接続し、該２穴ベルト通しの他端の上通過口入口と下通過口入口との中間部に、他のベルトの一端を接続し、該ベルトの他端に他の先端取手を接続して、第３０２結合部材とし、第３０１結合部材の先端取手を、第３０２結合部材の２穴ベルト通しの上通過口入口に差込み上通過口出口に貫通され、第３０２結合部材の先端取手を、第３０１結合部材の２穴ベルト通しの下通過口入口に差込み下通過口出口に貫通された、２穴ベルト通しを使用した事を特徴とする２穴ベルト通し付き地点間移動装置。
【請求項４】
請求項１または２または３に記載の地点間移動装置において、製作部材として布を使用した事を特徴とした布製地点間移動装置。
【請求項５】
請求項２または４に記載の地点間移動装置において、ベルト通しの製材を布製帯として、帯は同一寸法で、上帯と下帯を各複数作成し、上帯の長手方向の中間部分の幅方向の一端に地点取手を接続し、該上帯の長手方向の中間部分の幅方向の他端にベルトの一端を接続し、該ベルトの他端に先端取手を接続し、該上帯と該下帯を重ね合せ長手方向の中間部分に他のベルトが通る為の通過口入口と通過口出口用寸法を確保し、該中間部分以外の他の部分に縫合部Ａと縫合部Ｂ用の寸法を確保し、縫合部Ａと縫合部Ｂのそれぞれをミシンで縫い合せて第５０１結合部材とし、他の上帯の長手方向中間部分の幅方向の一端に他の地点取手を接続し、他の下帯の長手方向中間部分の幅方向の一端に他のベルトの一端を接続し、該ベルトの他端に他の先端取手を接続し、該上帯と該下帯の該先端取手と該地点取手が反対方向に位置するように重ね合せて長手方向の中間部分に、第５０１結合部材のベルトが通る為の通過口入口と通過口出口用の寸法を確保し、該中間部分以外の他の部分に縫合部Ａと縫合部Ｂ用の寸法を確保し、縫合部Ａと縫合部Ｂのそれぞれをミシンで縫い合せて第５０２結合部材とし、第５０１結合部材の先端取手を、第５０２結合部材のベルト通しの通過口入口に差込み通過口出口に貫通され、第５０２結合部材の先端取手を、第５０１結合部材のベルト通しの通過口入口に差込み通過口出口に貫通された、ベルト通し製材を布帯とした事を特徴とする布帯製ベルト通し付き地点間移動装置。
【請求項６】
請求項１または２または３に記載の地点間移動装置において、２穴ベルト通しの製材を布製帯とし、帯は上帯、中帯、下帯を同じ寸法で各複数作成し、上帯の長手方向の中間部分の幅方向の一端に地点取手を接続し、中帯の長手方向の中間部分の幅方向の一端に、ベルトの一端を接続し、該ベルトの他端に先端取手を接続し、該上帯と該中帯と該下帯を、該先端取手と該地点取手が反対方向に位置するように重ね合せて、長手方向の中間部分に、他のベルトが通る為の上通過口入口、上通過口出口用の寸法を確保し、該中間部分の他の部分に縫合部Ａと縫合部Ｂ用の寸法を確保し、縫合部Ａと縫合部Ｂのそれぞれをミシンで縫い合せて第６０１結合部材とし、第６０１結合部材と同様を作成して、他を第６０２結合部材とし、第６０１結合部材の先端取手を、第６０２結合部材の２穴ベルト通しの上通過口入口に差込み上通過口出口に貫通され、第６０２結合部材の先端取手を、第６０１結合部材の２穴ベルト通しの下通過口入口に差込み下通過口出口に貫通された、布帯製２穴ベルト通しを使用した事を特徴とする、布帯製２穴ベルト通し付き地点間移動装置。
【請求項７】
請求項６に記載の地点間移動装置において、枕として布袋の内部に弾力性の有る樹脂性ビーズや樹脂性パイプや綿やそば殻や籾殻を入れ長方形に複数作成して腰枕とし、地点に該腰枕を接続して、他の地点に他の腰枕を接続し、地点間移動装置に腰枕を取付けた事を特徴とした腰枕付き姿勢保持具。
【請求項８】
請求項６に記載の地点間移動装置または請求項７に記載の姿勢保持具において、頭枕用の布袋と弾力材をきつめに詰めた枕袋Ａと弾力材を緩めに詰めた枕袋Ｂを各複数作成し、頭枕の布袋に枕袋Ａと枕袋Ｂを、頭枕内の枕袋Ａが地点取手側になるように並べ入れて、該頭枕を地点に配置し、該頭枕の該枕袋Ａの下部分を２穴ベルト通しの該地点に接続して第８０１結合部材とし、他の頭枕の布袋に他の枕袋Ａと他の枕袋Ｂを、該頭枕内の枕袋Ａが他の地点取手側になるように並べ入れて、該頭枕を他の地点に配置し、該頭枕の該枕袋Ａの下部分を他の２穴ベルト通しの該地点に接続して第８０２結合部材とし、第８０１結合部材の先端取手を、第８０２結合部材の２穴ベルト通しの上通過口入口に差込み上通過口出口に貫通され、第８０２結合部材の先端取手を、第８０１結合部材の２穴ベルト通しの下通過口入口に差込み下通過口出口に貫通された、地点間移動装置に頭枕を取付けた事を特徴とした頭枕付き姿勢保持具。